(57)【要約】  本発明は、中継方式を使用する無線通信システムにおいて自動再送信要請（Ａｕｔｏｍａｔｉｃ  Ｒｅｔｒａｎｓｍｉｓｓｉｏｎ  ｒｅＱｕｅｓｔ）を行うための装置及び方法に関し、基地局と自動再送信要請を行う過程と、基地局から受信成功されたデータを端末に送信する過程と、基地局から再送信指示メッセージを受信すると、該当データを端末に再送信する過程とを含み、中継局は、エラーのないデータのみを受信機に中継するために、受信機が受信するデータに対して信頼度を向上させることができ、ＡＲＱの制御を送信機で行うために、中継局の負荷を減らすことができるという利点がある。
2009539299.tif 000002
【特許請求の範囲】
【請求項１】
中継方式を使用する無線通信システムにおける中継局の再送信方法であって、
送信機から受信したデータを受信機に送信する過程と、
基地局から再送信指示メッセージを受信すると、該当データを前記受信機に再送信する過程と、
を含むことを特徴とする方法。
【請求項２】
ダウンリンク送信の場合、前記送信機は前記基地局を意味し、前記受信機は端末を意味し、
アップリンク送信の場合、前記送信機は前記端末を意味し、前記受信機は前記基地局を意味することを特徴とする請求項１に記載の方法。
【請求項３】
前記データを前記受信機に送信する過程は、
前記送信機からデータを受信する過程と、
前記送信機から受信成功したデータを前記受信機に送信する過程と、を含むことを特徴とする請求項１に記載の方法。
【請求項４】
前記送信機からデータを受信する過程は、
前記送信機から受信されるデータの各々に対してエラー発生の有無を検査する過程と、
前記データのうち、エラーの発生しないデータを前記受信機に中継するためにバッファに格納する過程と、を含むことを特徴とする請求項３に記載の方法。
【請求項５】
前記エラーの発生しないデータに対する受信成功メッセージを前記基地局に送信する過程をさらに含むことを特徴とする請求項４に記載の方法。
【請求項６】
前記データのうち、エラーの発生したデータに対して前記基地局に再送信を要請する過程をさらに含むことを特徴とする請求項４に記載の方法。
【請求項７】
前記基地局に再送信を要請する過程は、
前記中継局のＣＩＤ（Ｃｏｎｎｅｃｔｉｏｎ  ＩＤｅｎｔｉｆｉｅｒ）、前記送信機と前記中継局との間のＡＣＫタイプ、前記送信機と前記中継局との間のＢＳＮ（Ｂｌｏｃｋ  Ｓｅｑｕｅｎｃｅ  Ｎｕｍｂｅｒ）およびＡＣＫ  ＭＡＰ情報のうち、少なくとも一つを含む再送信要請メッセージを生成する過程と、
前記再送信要請メッセージを前記基地局に送信する過程と、を含むことを特徴とする請求項６に記載の方法。
【請求項８】
前記基地局から受信される再送信指示メッセージは、マップ（ＭＡＰ）メッセージ又は制御メッセージであることを特徴とする請求項１に記載の方法。
【請求項９】
前記基地局から受信される再送信指示メッセージは、前記受信機のＣＩＤ（Ｃｏｎｎｅｃｔｉｏｎ  ＩＤｅｎｔｉｆｉｅｒ）および再送信を行うためのＢＳＮ（Ｂｌｏｃｋ  Ｓｅｑｕｅｎｃｅ  Ｎｕｍｂｅｒ）情報のうち、少なくとも一つを含むことを特徴とする請求項１に記載の方法。
【請求項１０】
前記受信機に再送信する過程は、
前記基地局からＡＣＫ／ＮＡＣＫ指示メッセージが受信されれば、前記ＡＣＫ指示メッセージに該当するデータを廃棄する過程と、
前記ＮＡＣＫ指示メッセージに該当するデータを前記受信機に再送信する過程と、を含むことを特徴とする請求項１に記載の方法。
【請求項１１】
前記ＡＣＫ／ＮＡＣＫ指示メッセージは、前記受信機のＣＩＤ（Ｃｏｎｎｅｃｔｉｏｎ  ＩＤｅｎｔｉｆｉｅｒ）、前記中継局が再送信するためのデータのＢＳＮ（Ｂｌｏｃｋ  Ｓｅｑｕｅｎｃｅ  Ｎｕｍｂｅｒ）情報、ＡＣＫタイプおよびＡＣＫ  ＭＡＰ情報のうち、少なくとも一つを含むことを特徴とする請求項１０に記載の方法。
【請求項１２】
前記ＡＣＫ／ＮＡＣＫ指示メッセージは、前記受信機のＣＩＤ（Ｃｏｎｎｅｃｔｉｏｎ  ＩＤｅｎｔｉｆｉｅｒ）、再送信するためのデータブロックの固有なシーケンス値を表すために、ＨＡＲＱ（Ｈｊｙｂｒｉｄ  Ａｕｔｏｍａｔｉｃ  Ｒｅｔｒａｎｓｍｉｓｓｉｏｎ  ｒｅＱｕｅｓｔ）データチャネルの固有番号を表すＡＣＩＤ（ＨＡＲＱ  Ｃｈａｎｎｅｌ  ＩＤ）情報、前記ＡＣＩＤ内でサブデータブロックの固有番号を表すＳＰＩＤ（Ｓｕｂ  Ｐａｃｋｅｔ  ＩＤ）情報、ＡＣＫタイプおよびＡＣＫ  ＭＡＰ情報のうち、少なくとも一つを含むことを特徴とする請求項１０に記載の方法。
【請求項１３】
前記受信機に再送信する過程は、
前記基地局からＮＡＣＫ指示メッセージが受信されれば、前記ＮＡＣＫ指示メッセージに該当するデータを確認する過程と、
前記データを前記受信機に再送信する過程と、を含むことを特徴とする請求項１に記載の方法。
【請求項１４】
前記ＮＡＣＫ指示メッセージは、前記受信機のＣＩＤ（Ｃｏｎｎｅｃｔｉｏｎ  ＩＤｅｎｔｉｆｉｅｒ）および前記中継局が再送信するためのデータのＢＳＮ（Ｂｌｏｃｋ  Ｓｅｑｕｅｎｃｅ  Ｎｕｍｂｅｒ）情報のうち、少なくとも一つを含むことを特徴とする請求項１３に記載の方法。
【請求項１５】
前記ＮＡＣＫ指示メッセージは、前記受信機のＣＩＤ（Ｃｏｎｎｅｃｔｉｏｎ  ＩＤｅｎｔｉｆｉｅｒ）、再送信するためのデータブロックの固有なシーケンス値を表すために、ＨＡＲＱ（Ｈｊｙｂｒｉｄ  Ａｕｔｏｍａｔｉｃ  Ｒｅｔｒａｎｓｍｉｓｓｉｏｎ  ｒｅＱｕｅｓｔ）データチャネルの固有番号を表すＡＣＩＤ（ＨＡＲＱ  Ｃｈａｎｎｅｌ  ＩＤ）情報および前記ＡＣＩＤ内でサブデータブロックの固有番号を表すＳＰＩＤ（Ｓｕｂ  Ｐａｃｋｅｔ  ＩＤ）情報のうち、少なくとも一つを含むことを特徴とする請求項１３に記載の方法。
【請求項１６】
前記受信機に送信したデータの各々に対して有効時間が満了するまでに送信が完了しないと、該当データを廃棄する過程をさらに含むことを特徴とする請求項１に記載の方法。
【請求項１７】
中継方式を使用する無線通信システムにおける中継局の再送信方法であって、
送信機から受信したデータを受信機に送信する過程と、
前記受信機から前記送信機に送信される制御メッセージを聴取して、前記受信機に送信したデータに対するエラー発生の有無を確認する過程と、
前記受信機に送信したデータのうち、エラーの発生したデータを前記受信機に再送信する過程と、を含むことを特徴とする方法。
【請求項１８】
順方向送信の場合、前記送信機は基地局を意味し、前記受信機は端末を意味し、
逆方向送信の場合、前記送信機は前記端末を意味し、前記受信機は前記基地局を意味することを特徴とする請求項１７に記載の方法。
【請求項１９】
前記データを前記受信機に送信する過程は、
前記送信機からデータを受信する過程と、
前記送信機から受信成功されたデータを前記受信機に送信する過程と、を含むことを特徴とする請求項１７に記載の方法。
【請求項２０】
前記送信機からデータを受信する過程は、
前記送信機から受信されるデータの各々に対してエラー発生の有無を検査する過程と、
前記データのうち、エラーの発生しないデータを前記受信機に中継送信するためにバッファに格納する過程と、を含むことを特徴とする請求項１９に記載の方法。
【請求項２１】
前記エラーの発生しないデータに対する受信成功メッセージを前記基地局に送信する過程をさらに含むことを特徴とする請求項２０に記載の方法。
【請求項２２】
前記データのうち、エラーの発生したデータに対して前記基地局に再送信を要請する過程をさらに含むことを特徴とする請求項２０に記載の方法。
【請求項２３】
前記基地局に再送信を要請する過程は、
前記中継局のＣＩＤ（Ｃｏｎｎｅｃｔｉｏｎ  ＩＤｅｎｔｉｆｉｅｒ）、前記送信機と中継局との間のＡＣＫタイプ、前記送信機と中継局との間のＢＳＮ（Ｂｌｏｃｋ  Ｓｅｑｕｅｎｃｅ  Ｎｕｍｂｅｒ）およびＡＣＫ  ＭＡＰ情報のうち、少なくとも一つを含む再送信要請メッセージを生成する過程と、
前記再送信要請メッセージを前記基地局に送信する過程と、を含むことを特徴とする請求項２２に記載の方法。
【請求項２４】
前記制御メッセージは、前記受信機に送信したデータのエラー発生の有無に対する情報を含むことを特徴とする請求項１７に記載の方法。
【請求項２５】
前記制御メッセージは、前記受信機のＣＩＤ（Ｃｏｎｎｅｃｔｉｏｎ  ＩＤｅｎｔｉｆｉｅｒ）、前記受信機からエラーの発生したデータのＢＳＮ（Ｂｌｏｃｋ  Ｓｅｑｕｅｎｃｅ  Ｎｕｍｂｅｒ）情報、ＡＣＫタイプおよびＡＣＫ  ＭＡＰ情報のうち、少なくとも一つを含むことを特徴とする請求項１７に記載の方法。
【請求項２６】
前記受信機に再送信する過程は、
前記基地局からスケジューリング情報が受信される場合、前記受信機に送信したデータのうち、エラーの発生したデータを前記受信機に再送信する過程を含むことを特徴とする請求項１７に記載の方法。
【請求項２７】
前記基地局からスケジューリング情報が受信される場合、前記受信機に送信したデータのうち、エラーのないデータを廃棄する過程をさらに含むことを特徴とする請求項２６に記載の方法。
【請求項２８】
前記受信機に送信したデータの各々に対して有効時間が満了するまで送信が完了しないと、該当データを廃棄する過程をさらに含むことを特徴とする請求項１７に記載の方法。
【請求項２９】
中継方式を使用する無線通信システムにおける基地局の再送信方法であって、
端末から受信する制御メッセージに応じて、中継局が前記端末に送信したデータのエラー発生の有無を確認する過程と、
前記中継局が前記端末に送信したデータのうち、エラーの発生したデータに対する再送信指示メッセージを前記中継局に送信する過程と、を含むことを特徴とする方法。
【請求項３０】
前記中継局にデータを送信する過程と、
前記中継局にデータの送信が成功すれば、前記端末から制御メッセージの受信を待機する過程と、をさらに含むことを特徴とする請求項２９に記載の方法。
【請求項３１】
前記中継局にデータを送信する過程は、
前記中継局にデータを送信する過程と、
前記中継局から受信成功制御メッセージが受信されれば、前記端末から制御メッセージの受信を待機する過程と、
前記中継局から再送信要請メッセージが受信されれば、前記再送信要請メッセージに対するデータを前記中継局に再送信する過程と、を含むことを特徴とする請求項３０に記載の方法。
【請求項３２】
前記中継局に送信したデータの各々に対する有効時間が満了するまでに送信が完了しないと、該当データを廃棄する過程をさらに含むことを特徴とする請求項３０に記載の方法。
【請求項３３】
前記制御メッセージは、前記中継局から前記端末に送信したデータのエラー発生の有無に対する情報を含むことを特徴とする請求項２９に記載の方法。
【請求項３４】
前記端末から受信される制御メッセージは、前記端末のＣＩＤ（Ｃｏｎｎｅｃｔｉｏｎ  ＩＤｅｎｔｉｆｉｅｒ）、前記基地局と前記端末との間のＡＣＫタイプ、前記基地局と前記端末との間のＢＳＮ（Ｂｌｏｃｋ  Ｓｅｑｕｅｎｃｅ  Ｎｕｍｂｅｒ）およびＡＣＫ  ＭＡＰ情報のうち、少なくとも一つを含むことを特徴とする請求項２９に記載の方法。
【請求項３５】
前記再送信指示メッセージは、前記中継局が前記端末に送信したデータのうち、エラーの発生したデータに対する情報、エラーの発生しないデータに対する情報および再送信のためのスケジューリング情報のうち、少なくとも一つを含むことを特徴とする請求項２９に記載の方法。
【請求項３６】
前記再送信指示メッセージは、前記端末のＣＩＤ（Ｃｏｎｎｅｃｔｉｏｎ  ＩＤｅｎｔｉｆｉｅｒ）、前記中継局が再送信するためのデータのＢＳＮ（Ｂｌｏｃｋ  Ｓｅｑｕｅｎｃｅ  Ｎｕｍｂｅｒ）情報、ＡＣＫタイプ、ＡＣＫ  ＭＡＰ情報およびスケジューリング情報のうち、少なくとも一つを含むことを特徴とする請求項２９に記載の方法。
【請求項３７】
前記再送信指示メッセージは、前記受信機のＣＩＤ（Ｃｏｎｎｅｃｔｉｏｎ  ＩＤｅｎｔｉｆｉｅｒ）、再送信するためのデータブロックの固有なシーケンス値を表すために、ＨＡＲＱ（Ｈｊｙｂｒｉｄ  Ａｕｔｏｍａｔｉｃ  Ｒｅｔｒａｎｓｍｉｓｓｉｏｎ  ｒｅＱｕｅｓｔ）データチャネルの固有番号を表すＡＣＩＤ（ＨＡＲＱ  Ｃｈａｎｎｅｌ  ＩＤ）情報、前記ＡＣＩＤ内でサブデータブロックの固有番号を表すＳＰＩＤ（Ｓｕｂ  Ｐａｃｋｅｔ  ＩＤ）情報、ＡＣＫタイプ、ＡＣＫ  ＭＡＰ情報およびスケジューリング情報のうち、少なくとも一つを含むことを特徴とする請求項２９に記載の方法。
【請求項３８】
前記中継局が前記端末に送信したデータのうち、エラーのないデータを廃棄する過程をさらに含むことを特徴とする請求項２９に記載の方法。
【請求項３９】
中継方式を使用する無線通信システムにおける基地局の再送信方法であって、
中継局から受信するデータのエラー発生の有無を確認する過程と、
前記データのうち、エラーの発生したデータに対する再送信指示メッセージを前記中継局に送信する過程と、
を含むことを特徴とする方法。
【請求項４０】
前記再送信指示メッセージは、前記中継局の送信したデータのうち、エラーの発生したデータに対する情報、エラーの発生しないデータに対する情報および再送信のためのスケジューリング情報のうち、少なくとも一つを含むことを特徴とする請求項３９に記載の方法。
【請求項４１】
前記再送信指示メッセージは、前記端末のＣＩＤ（Ｃｏｎｎｅｃｔｉｏｎ  ＩＤｅｎｔｉｆｉｅｒ）、中継局が再送信するためのデータのＢＳＮ（Ｂｌｏｃｋ  Ｓｅｑｕｅｎｃｅ  Ｎｕｍｂｅｒ）情報、ＡＣＫタイプ、ＡＣＫ  ＭＡＰ情報およびスケジューリング情報のうち、少なくとも一つを含むことを特徴とする請求項３９に記載の方法。
【請求項４２】
前記再送信指示メッセージは、前記受信機のＣＩＤ（Ｃｏｎｎｅｃｔｉｏｎ  ＩＤｅｎｔｉｆｉｅｒ）、再送信するためのデータブロックの固有なシーケンス値を表すために、ＨＡＲＱ（Ｈｊｙｂｒｉｄ  Ａｕｔｏｍａｔｉｃ  Ｒｅｔｒａｎｓｍｉｓｓｉｏｎ  ｒｅＱｕｅｓｔ）データチャネルの固有番号を表すＡＣＩＤ（ＨＡＲＱ  Ｃｈａｎｎｅｌ  ＩＤ）情報、前記ＡＣＩＤ内でサブデータブロックの固有番号を表すＳＰＩＤ（Ｓｕｂ  Ｐａｃｋｅｔ  ＩＤ）情報、ＡＣＫタイプ、ＡＣＫ  ＭＡＰ情報およびスケジューリング情報のうち、少なくとも一つを含むことを特徴とする請求項３９に記載の方法。
【請求項４３】
前記中継局から制御メッセージが受信される場合、前記制御メッセージを端末に送信する過程をさらに含むことを特徴とする請求項３９に記載の方法。
【請求項４４】
前記制御メッセージは、前記端末が前記中継局に送信したデータのエラー発生の有無に対する情報を含むことを特徴とする請求項４３に記載の方法。
【請求項４５】
中継方式を使用する無線通信システムにおける中継局装置であって、
送信機から受信されるデータのエラー発生の有無を検査するための検査部と、
前記データのうち、エラーの発生したデータに対する再送信要請メッセージを基地局に送信し、エラーの発生しないデータを受信機に送信する送信部と、
を備えることを特徴とする装置。
【請求項４６】
前記送信機は、前記データのうち、エラーの発生しないデータを格納するためのバッファを備え、
前記バッファに格納されたデータを前記受信機に送信することを特徴とする請求項４５に記載の装置。
【請求項４７】
前記送信部は、前記送信機から受信されるデータと同じ形式のデータを生成して前記受信機に送信することを特徴とする請求項４５に記載の装置。
【請求項４８】
前記送信部は、前記データのうち、エラーの発生しないデータに対する受信成功メッセージを前記基地局に送信することを特徴とする請求項４５に記載の装置。
【請求項４９】
前記データのうち、エラーの発生したデータに関する前記基地局への再送信要請を制御し、前記基地局から再送信指示メッセージが受信されれば、前記再送信指示メッセージに対するデータを前記受信機に再送信するように制御するＡＲＱ（Ａｕｔｏｍａｔｉｃ  Ｒｅｔｒａｎｓｍｉｓｓｉｏｎ  ｒｅＱｕｅｓｔ）制御機をさらに備えることを特徴とする請求項４５に記載の装置。
【請求項５０】
前記ＡＲＱ制御機は、前記基地局から再送信指示メッセージが受信されれば、ＮＡＣＫ指示メッセージに該当するデータを前記バッファから読み出して前記受信機に再送信し、
ＡＣＫ指示メッセージに該当するデータを前記バッファから廃棄するように制御することを特徴とする請求項４９に記載の装置。
【請求項５１】
前記受信機に送信するデータの各々に対する有効時間を管理するＡＲＱタイマーをさらに備え、
前記ＡＲＱ制御機は、前記有効時間タイマーが満了するまでに送信が完了しないデータを前記バッファから廃棄することを特徴とする請求項４５に記載の装置。
【請求項５２】
中継方式を使用する無線通信システムにおける中継局装置であって、
送信機から受信したデータを受信機に送信する手段と、
基地局から再送信指示メッセージが受信されれば、該当データを前記受信機に再送信する手段と、
を含むことを特徴とする装置。
【請求項５３】
中継方式を使用する無線通信システムにおける中継局装置であって、
送信機から受信したデータを受信機に送信する手段と、
前記受信機から前記送信機に送信する制御メッセージを聴取して、前記受信機に送信したデータに対するエラー発生の有無を確認する手段と、
前記受信機に送信したデータのうち、エラーの発生したデータを前記受信機に再送信する手段と、
を備えることを特徴とする装置。
【請求項５４】
中継方式を使用する無線通信システムにおける基地局装置であって、
端末から受信する制御メッセージに応じて、中継局が前記端末に送信したデータのエラー発生有無を確認する手段と、
前記中継局が前記端末に送信したデータのうち、エラーの発生したデータに対する再送信指示メッセージを前記中継局に送信する手段と、を備えることを特徴とする装置。
【請求項５５】
中継方式を使用する無線通信システムにおける基地局装置であって、
中継局から受信されるデータのエラー発生有無を確認する手段と、
前記データのうち、エラーの発生したデータに対する再送信指示メッセージを前記中継局に送信する手段と、を備えることを特徴とする装置。
【発明の詳細な説明】
【技術分野】
【０００１】
本発明は、無線通信システムにおいて自動再送信要請（ＡＲＱ：Ａｕｔｏｍａｔｉｃ  Ｒｅｔｒａｎｓｍｉｓｓｉｏｎ  ｒｅＱｕｅｓｔ）を行うための装置及び方法に関し、特に多重ホップ中継方式を使用する無線通信システムにおいて自動再送信要請を行うための装置及び方法に関する。
【背景技術】
【０００２】
無線データ通信では、無線資源区間のチャネル状態によりエラーが発生する。このようなエラーに対する制御及び復旧技術は、大きくＡＲＱ技法とＦＥＣ（Ｆｒａｍｅ  Ｅｒｒｏｒ  Ｃｈｅｃｋ）技法とに分けられる。ＡＲＱ技法は、受信端で損失されたデータに対して送信端に再送信（ｒｅｔｒａｎｓｍｉｓｓｉｏｎ）を要請する技法であり、ＦＥＣ技法は、損失されたデータに対するエラーを訂正する技法である。
【０００３】
特に、ＡＲＱ技法では、パケットに対するエラー検査結果（例：ＣＲＣ検査）が受信端から送信端へフィードバックされなければならない。例えば、送信端からパケットを初期送信すれば、受信端は受信されたパケットをデコードする。以後、パケットにエラーが発生しなければ、受信端は、ＡＣＫ信号を送信端に送信する。万一、パケットにエラーが発生すれば、受信端は、ＮＡＣＫ信号を送信端に送信する。
【０００４】
このとき、送信端は、ＡＣＫ信号を受信すると、新しいパケットを送信し、ＮＡＣＫ信号が受信されれば、以前パケットを再送信する。
【０００５】
一般に、無線通信システムは、安定したデータを送信するために、２個の再送信技法を運用する。その一つは、ＭＡＣ（Ｍｅｄｉａ  Ａｃｃｅｓｓ  Ｃｏｎｔｒｏｌ）階層で運用される「ＭＡＣ  ＡＲＱ」であり、残りの一つは、物理（ＰＨＹ：Ｐｈｙｓｉｃａｌ）階層で運用される「ＨＡＲＱ（Ｈｙｂｒｉｄ  ＡＲＱ）」である。以下、従来の技術によるＭＡＣ  ＡＲＱ技法について述べる。
【０００６】
図１は、従来技術によるアナログ中継局（以下、リピーター（Ｒｅｐｅａｔｅｒ）という）を利用する無線通信システムにおいて、ＡＲＱ技法の遂行による信号交換手順を示している。
【０００７】
まず、従来の技術で仮定する無線通信システムは、以下のとおりである。無線通信システムは、一つ以上の基地局、一つ以上のリピーター、一つ以上の端末機で構成され、説明の便宜のために一つの基地局１０、一つのリピーター１１、一つの端末機１２を示したものである。ここで、基地局１０から端末機１２に送信しようとするＭＡＣ階層のデータ（ＰＤＵ）が２個である場合を仮定し、端末機１２は、リピーター１１を介してデータを受信すると仮定する。
【０００８】
図１に示すように、まず基地局１０は、ステップ１０１にて２個のＭＡＣ  ＰＤＵを一つの物理階層データＰＨＹ  ＤＡＴＡ  １に生成して、リピーター１１に送信する。ここで、ＭＡＣ階層のデータ送信単位であるＭＡＣ  ＰＤＵは、図示のように、ＭＡＣヘッダ（ｈｅａｄｅｒ）と、実際のデータを含むペイロード（ｐａｙｌｏａｄ）と、ペイロードのエラーの有無を判別するためのエラーチェックコード（例：ＣＲＣコード）とで構成される。また、物理階層データは、少なくとも一つのＭＡＣ  ＰＤＵを含んで構成される。
【０００９】
一方、リピーター１１は、ステップ１０３にて基地局１０から受信した物理階層データＰＨＹ  ＤＡＴＡ  １を単純に信号の大きさ（ａｍｐｌｉｔｕｄｅ）のみ増幅して、端末機１２に中継する。
【００１０】
そして、端末機１２は、ステップ１０５にてリピーター１１から受信される物理階層データＰＨＹ  ＤＡＴＡ  １からＭＡＣ  ＰＤＵを分解し、ＭＡＣ  ＰＤＵのそれぞれに対してエラー検査を行う。ここで、エラー検査は、ＭＡＣ  ＰＤＵに含まれたエラーチェックコード（ＣＲＣコード）を利用して行われる。端末機１２は、受信されたＭＡＣ  ＰＤＵのペイロードでエラーチェックコードを生成し、該生成されたエラーチェックコードと受信されたエラーチェックコードとを比較して、エラーの有無を判別する。このとき、分解されたＭＡＣ  ＰＤＵのうち、ＭＡＣ  ＰＤＵ２からエラーが発生したと仮定する。
【００１１】
このように、受信データのうち、１番のＭＡＣ  ＰＤＵにはエラーがなく、２番のＭＡＣ  ＰＤＵにエラーがあれば、端末機１２は、ステップ１０７にて１番ＭＡＣ  ＰＤＵに対しては、ＡＣＫで応答し、２番ＭＡＣ  ＰＤＵに対しては、ＮＡＣＫで応答するための制御メッセージをリピーター１１に送信する。そして、リピーター１１は、ステップ１０９にて端末機１２からの制御メッセージの信号の大きさを増幅して、基地局１０に中継する。
【００１２】
すると、基地局１０は、ステップ１０９にてリピーター１１から提供された制御メッセージを分析して、再送信要請されたＭＡＣ  ＰＤＵを認知する。すなわち、２番ＭＡＣ  ＰＤＵの再送信要請を認知する。したがって、基地局１０は、ステップ１１１にて再送信要請された２番ＭＡＣ  ＰＤＵを物理階層データＰＨＹ  ＲＥＴＲＡＮＳＭＩＳＳＩＯＮ  ＤＡＴＡに生成して、リピーター１１に送信する。すると、リピーター１１は、ステップ１１３にて基地局１１からの物理階層データＰＨＹ  ＲＥＴＲＡＮＳＭＩＳＳＩＯＮ  ＤＡＴＡの信号の大きさを増幅して、端末機１２に中継する。このような手順により、端末機１２は、エラーの発生したデータをリピーター１１を介して基地局１１に再送信要請し、再送信されたデータをリピーター１１を介して受信する。
【００１３】
上述したように、無線通信システムにおけるリピーターは、基地局と端末との間で送受信されるアナログ信号の大きさを増幅して中継する機能を果たす。しかしながら、最近研究される中継局は、ＭＡＣ階層と物理階層とをすべて有しているため、送信機と受信機との間の送受信されるメッセージを解析でき、単純に送信信号の大きさを増幅する中継方式は非効率的だと言える。そのため、無線通信システムにおいて発展した機能を有する中継局を利用した自動再送信要請方法が必要である。
【発明の開示】
【００１４】
そこで、本発明の目的は、中継方式を使用する無線通信システムにおいて自動再送信要請（Ａｕｔｏｍａｔｉｃ  Ｒｅｔｒａｎｓｍｉｓｓｉｏｎ  ｒｅＱｕｅｓｔ）を行うための装置及び方法を提供することにある。
【００１５】
本発明の他の目的は、中継方式を使用する無線通信システムにおいて基地局の制御によって自動再送信要請を行うための装置及び方法を提供することにある。
【００１６】
上記の目的を達成するための本発明の第１の態様によると、中継方式を使用する無線通信システムにおける中継局の再送信方法は、送信機から受信したデータを受信機に送信する過程と、前記基地局から再送信指示メッセージが受信されると該当データを前記受信機に再送信する過程を含むことを特徴とする。
【００１７】
本発明の第２の態様によると、中継方式を使用する無線通信システムにおける中継局の再送信方法は、送信機から受信したデータを受信機に送信する過程と、前記受信機で前記送信機に送信する制御メッセージを聴取して前記受信機に送信したデータに対するエラー発生の有無を確認する過程と、前記受信機に送信したデータのうち、エラーの発生したデータを前記受信機に再送信する過程を含むことを特徴とする。
【００１８】
本発明の第３の態様によると、中継方式を使用する無線通信システムにおける基地局の再送信方法は、端末から受信する制御メッセージに応じて中継局が端末に送信したデータのエラー発生有無を確認する過程と、前記中継局が端末に送信したデータのうち、エラーの発生したデータに対する再送信指示メッセージを前記中継局に送信する過程を含むことを特徴とする。
【００１９】
本発明の第４の態様によると、中継方式を使用する無線通信システムにおける基地局の再送信方法は、中継局から受信されるデータのエラー発生の有無を確認する過程と、前記データのうち、エラーの発生したデータに対する再送信指示メッセージを前記中継局に送信する過程を含むことを特徴とする。
【００２０】
本発明の第５の態様によると、中継方式を使用する無線通信システムにおける中継局装置は、送信機から受信されるデータのエラー発生の有無を検査する検査部と、前記データのうち、エラーの発生したデータに対する再送信要請メッセージを基地局に送信して、エラーの発生しないデータを受信機に送信する送信部を含むことを特徴とする。
【発明を実施するための最良の形態】
【００２１】
以下、本発明の好ましい実施の形態を、添付された図面を参照して詳細に説明する。そして、本発明を説明するに当たって、関連した公知機能あるいは構成についての具体的な説明が本発明の要旨を不明にするおそれがあると判断された場合には、その詳細な説明を省略する。
【００２２】
以下、本発明は、中継方式を使用する無線通信システムにおいて自動再送信要請（ＡＲＱ：Ａｕｔｏｍａｔｉｃ  Ｒｅｔｒａｓｍｉｓｓｉｏｎ  ｒｅＱｕｅｓｔ）を行うための技術について説明する。ここで、自動再送信要請は、ＭＡＣ（Ｍｅｄｉａ  Ａｃｃｅｓｓ  Ｃｏｎｔｒｏｌ）階層で運用される「ＭＡＣ  ＡＲＱ」又は物理（ＰＨＹ：Ｐｈｙｓｉｃａｌ）階層で運用される「ＨＡＲＱ（Ｈｙｂｒｉｄ  ＡＲＱ）」を示す。
【００２３】
以下の説明で中継局は、送信機からデータを受信し、受信データを受信機に中継する機能を行う。すなわち、受信機は、送信機との通信が円滑でない場合、中継局を利用して送信機のデータを送信されることができる。ここで、中継局は、一つのセル内に複数が存在でき、事業者によって設置したりユーザ端末が中継局の機能を行ったりすることができる。また、中継局は、送信機から信号を受信する受信部と受信機に信号を送信する送信部とに分けられ、送信部と受信部とは、独立的に動作する。しかしながら、送信部と受信部とのデータキュー（Ｑｕｅ）は、内部的に共有すると仮定する。
【００２４】
図２は、本発明の実施形態による中継方式を使用する無線通信システムの構成を示している。
【００２５】
図２に示すように、基地局（ＢＳ）１５０のサービス領域１５１に含まれる端末（ＭＳ）１７０は、基地局１５０と直接リンクを介してサービスを提供される。但し、端末１７０は、基地局１５０のサービス領域の外郭（セル境界地域）に位置するので、チャネル状態が劣悪であるから、高速のデータチャネルを提供することができない。
【００２６】
したがって、基地局１５０は、中継局（ＲＳ）１６０を利用して基地局１５０のサービス領域１５１に含まれる端末のうち、チャネル状態の劣悪な端末１７０に高速のデータチャネルを提供する。すなわち、端末１７０は、基地局１５０のサービス領域１５１に含まれるため、基地局１５０との直接リンクを介して制御信号及び低速のデータチャネルが提供される。また、端末１７０には、中継局１６０を利用して基地局１５０から高速のデータチャネルが提供される。
【００２７】
図３は、本発明の第１の実施形態による中継方式を使用する無線通信システムにおいてダウンリンク信号を再送信するためのシステムを示している。以下の説明で基地局２００は、端末２２０に送信するデータがＮ個あり、１回にｋ個のデータが送信可能であると仮定する。
【００２８】
図３に示すように、基地局２００は、中継局２１０と端末２２０とにダウンリンク（ＤＬ）データを送信するためのスケジューリング情報（例：ダウンリンクマップ）を送信する（ステップ２３０）。例えば、基地局２００は、中継局２１０にスケジューリング情報を送信する。以後、中継局２１０は、基地局２００から提供されたスケジューリング情報を端末２２０に中継する。他の実施形態として、基地局２００は端末２２０にスケジューリング情報を送信する。このとき、中継局２１０は、基地局２００から端末２２０に送信するスケジューリング情報を聴取することができる。
【００２９】
以後、基地局２００は、スケジューリング情報に応じてＮ個のデータのうち、ｋ個のデータを中継局２１０に送信する（ステップ２３１）。
【００３０】
中継局２１０は、受信部２１２を介して基地局２００からデータを受信すると（ステップ２３３）、データのエラーチェックコード（ＣＲＣ：Ｃｙｃｌｉｃ  Ｒｅｄｕｎｄａｎｃｙ  Ｃｈｅｃｋ）を利用してデータエラーを確認する（ステップ２３５）。万一、ｋ個のデータのうち、ｊ個のデータにエラーが発生したと仮定すれば、中継局２１０は、エラーが発生しないｋ−ｊ個のデータを中継局２１０のデータキューに格納する（ステップ２３７）。このとき、中継局２１０は、エラーが発生したｊ個のデータは格納しない。
【００３１】
以後、中継局２１０は、受信されたデータに対するＡＣＫ／ＮＡＣＫ制御メッセージを基地局２００に送信する（ステップ２３９）。すなわち、中継局２１０は、エラー無く正常に受信されたデータに対するＡＣＫ制御メッセージとエラーの発生したデータに対するＮＡＣＫ制御メッセージとを基地局２００に送信する。
【００３２】
このとき、中継局は、ＡＣＫ／ＮＡＣＫ制御メッセージを下記の表１のように構成できる。
【００３３】
【表１】
2009539299.tif 000003
【００３４】
ここで、ＡＣＫ／ＮＡＣＫ制御メッセージは、ＡＣＫ／ＮＡＣＫ制御メッセージを送信する中継局のサービスＩＤ（ＣＩＤ：Ｃｏｎｎｅｃｔｉｏｎ  ＩＤ）と、応答タイプを指定するためのＡＣＫタイプ（ＡＣＫ  Ｔｙｐｅ）と、ＡＲＱブロックのシーケンス番号を指定するためのＢＳＮ（Ｂｌｏｃｋ  Ｓｅｑｕｅｎｃｅ  Ｎｕｍｂｅｒ）と、応答タイプが選択的（ｓｅｌｅｃｔｉｖｅ）方法であるとき、各ＡＲＱブロックに対する受信成功如何を指定するためのＡＣＫマップ（ＭＡＰ）を含んで構成される。ここで、ＣＩＤは、中継局の識別子又は中継局に提供される特定サービスの識別子を表す。すなわち、基地局は、ＣＩＤを利用して中継局とサービスとを識別する。ＡＣＫタイプには、選択的（Ｓｅｌｅｃｔｉｖｅ）方法又は累積型（Ｃｕｍｕｌａｔｉｖｅ）方法などがあり、より多くの種類のＡＣＫタイプが存在することもできる。
【００３５】
基地局２００は、中継局２１０と端末２２０とにスケジューリング情報（例：ダウンリンクマップ）を送信する（ステップ２４１）。例えば、基地局２００は、中継局２１０にスケジューリング情報を送信する。以後、中継局２１０は、基地局２００から提供されたスケジューリング情報を端末２２０に中継する。他の実施形態として、基地局２００は、端末２２０にスケジューリング情報を送信する。このとき、中継局２１０は、基地局２００から端末２２０に送信するスケジューリング情報を聴取することができる。
【００３６】
中継局２１０の送信部２１４は、基地局２００から提供されたスケジューリング情報に応じて、データキューに存在するデータを端末２２０に送信する（ステップ２４７）。すなわち、中継局２１０は、スケジューリング情報に応じて基地局２００から受信成功したデータを端末２２０に送信する。
【００３７】
このとき、中継局２１０の受信部２１２は、送信部２１４と独立して基地局２００が送信するデータ又は再送信データを受信する（ステップ２４３〜２４５）。すなわち、基地局２００は、中継局２１０から提供されたＡＣＫ／ＮＡＣＫ制御メッセージを介して、ｊ個のデータにエラーが発生したことを認識する。以後、基地局２００は、エラーが発生したｊ個のデータを再送信する（ステップ２４３）。ここで、基地局２００は、再送信データだけでなく、基地局２００のデータキューに残ったＮ−ｋ個の新しいデータのうち、ｋ−ｊ個のデータを再送信データと共に中継局２１０に送信する。
【００３８】
基地局２００の送信したデータを受信された中継局２１０の受信部２１２は、受信データのエラーチェックコードを確認して、受信データのエラー発生の有無を確認する。万一、受信データにエラーがなければ、データをデータキューに格納する。以後、基地局２００と中継局２１０とは、基地局２００のデータキューに格納されたＮ個のデータが成功的に中継局２１０に受信されるまで、前記の過程を繰り返す（ステップ２４５）。
【００３９】
端末２２０は、中継局２１０の送信部２１４が送信したデータを受信すると（ステップ２４９）、データのエラーチェックコードを確認してエラーを確認する（ステップ２５１）。万一、受信データのうち、ｐ個のデータにエラーが発生する場合、端末２２０は、エラーのないデータに対するＡＣＫ制御メッセージとエラーのあるデータに対するＮＡＣＫ制御メッセージとを基地局２００に送信する（ステップ２５３）。このとき、端末２２０は、ＡＣＫ／ＮＡＣＫ制御メッセージを基地局２００に直接送信できる。また、端末２２０は、ＡＣＫ／ＮＡＣＫ制御メッセージを中継局２１０を介して基地局２００に送信することもできる。
【００４０】
このとき、端末は、前記ＡＣＫ／ＮＡＣＫ制御メッセージを下記の表２のように構成できる。
【００４１】
【表２】
2009539299.tif 000004
【００４２】
ここで、ＡＣＫ／ＮＡＣＫ制御メッセージは、ＡＣＫ／ＮＡＣＫ制御メッセージを送信する端末のサービスＩＤ（ＣＩＤ：Ｃｏｎｎｅｃｔｉｏｎ  ＩＤ）と、応答タイプを指定するためのＡＣＫタイプ（ＡＣＫ  Ｔｙｐｅ）と、ＡＲＱブロックのシーケンス番号を指定するためのＢＳＮ（Ｂｌｏｃｋ  Ｓｅｑｕｅｎｃｅ  Ｎｕｍｂｅｒ）と、応答タイプが選択的（ｓｅｌｅｃｔｉｖｅ）方法であるとき、各ＡＲＱブロックに対する受信成功如何を指定するためのＡＣＫマップ（ＭＡＰ）を含んで構成される。ここで、ＣＩＤは、端末の識別子又は端末に提供される特定サービスの識別子を示す。すなわち、基地局は、ＣＩＤを利用して端末とサービスとを識別する。
【００４３】
基地局２００は、端末２２０から提供されたＡＣＫ／ＮＡＣＫ制御メッセージを確認して、端末２２０で受信されたデータのうち、エラーの発生したデータとエラーのないデータとを確認する。以後、基地局２００は、エラーの発生したデータに対する情報を中継局２１０に送信する（ステップ２５５）。すなわち、基地局２００は、エラーの発生したデータに対する情報を含む再送信指示メッセージ（ＮＡＣＫ  ｉｎｄｉｃａｔｉｏｎ）を中継局２１０に送信する。
【００４４】
このとき、基地局は、再送信指示メッセージを下記の表３のように構成できる。
【００４５】
【表３】
2009539299.tif 000005
【００４６】
ここで、再送信指示メッセージ（ＮＡＣＫ  ｉｎｄｉｃａｔｉｏｎ）は、中継局で再送信を行う端末サービスＩＤ（ＣＩＤ：Ｃｏｎｎｅｃｔｉｏｎ  ＩＤ）、再送信を行うＡＲＱブロックの個数、及び再送信を行うＡＲＱブロックのシーケンス番号を指定するためのＢＳＮ（Ｂｌｏｃｋ  Ｓｅｑｕｅｎｃｅ  Ｎｕｍｂｅｒ）を含んで構成される。
【００４７】
基地局は、ＭＡＣ階層のＡＲＱを行う場合、前記表３のように構成される再送信指示メッセージを中継局に送信する。
【００４８】
万一、ＨＡＲＱを行う場合、基地局は、中継局で再送信を行う端末サービスＩＤ（ＣＩＤ：Ｃｏｎｎｅｃｔｉｏｎ  ＩＤ）、再送信するためのデータブロックの固有なシーケンス値を表すために、ＨＡＲＱデータチャネルの固有番号を表すＡＣＩＤ（ＨＡＲＱ  Ｃｈａｎｎｅｌ  ＩＤ）情報、ＡＣＩＤ内でサブデータブロックの固有番号を表すＳＰＩＤ（Ｓｕｂ  Ｐａｃｋｅｔ  ＩＤ）情報を含む再送信指示メッセージを生成して中継局に送信する。
【００４９】
以後、基地局２００は、中継局２１０と端末２２０とにスケジューリング情報（例：ダウンリンクマップ）を送信する（ステップ２５７）。例えば、基地局２００は、中継局２１０にスケジューリング情報を送信する。以後、中継局２１０は、基地局２００から提供されたスケジューリング情報を端末２２０に中継する。他の実施形態として、基地局２００は、端末２２０にスケジューリング情報を送信する。このとき、中継局２１０は、基地局２００から端末２２０に送信するスケジューリング情報を聴取することができる。
【００５０】
中継局２１０は、基地局２００からの再送信指示メッセージに含まれた端末２２０においてエラーの発生したデータを確認する。以後、中継局２１０は、基地局２００から提供されたスケジューリング情報に応じて、エラーの発生したデータを端末２２０に再送信する（ステップ２５９）。このとき、中継局２１０は、再送信データだけでなく、中継局２１０のデータキューに残った新しいデータを再送信データと共に前記端末２２０に送信する。
【００５１】
端末２２０は、中継局２１０の送信部２１４が送信したデータを受信すると（ステップ２６１）、データのエラーチェックコードを確認してエラー発生の有無を確認する（ステップ２６３）。万一、受信データにエラーが発生すれば、端末２２０は、基地局２００に該当データの再送信を要請する。
【００５２】
以後、端末２２０は、中継局２１０のデータキューに存在するデータをすべて受信するまで、前記の過程を繰り返す（ステップ２６５）。
【００５３】
図４は、本発明の第２の実施形態による中継方式を使用する無線通信システムにおいてダウンリンク信号を再送信するためのシステムを示している。以下の説明で基地局３００は、端末３２０に送信するデータがＮ個あり、１回にｋ個のデータが送信可能であると仮定する。
【００５４】
図４に示すように、基地局３００は、中継局３１０と端末３２０とにダウンリンクデータを送信するためのスケジューリング情報（例：ダウンリンクマップ）を送信する（ステップ３３０）。例えば、基地局３００は、中継局３１０にスケジューリング情報を送信する。以後、中継局３１０は、基地局３００から提供されたスケジューリング情報を端末３２０に中継する。他の実施形態として、基地局３００は、端末３２０にスケジューリング情報を送信する。このとき、中継局３１０は、基地局３００から端末３２０に送信するスケジューリング情報を聴取することができる。
【００５５】
以後、基地局３００は、スケジューリング情報に応じてＮ個のデータのうち、ｋ個のデータを中継局３１０に送信する（ステップ３３１）。
【００５６】
中継局３１０は、受信部３１２を介して基地局３００からデータを受信すると（ステップ３３３）、データのエラーチェックコード（ＣＲＣ：Ｃｙｃｌｉｃ  Ｒｅｄｕｎｄａｎｃｙ  Ｃｈｅｃｋ）を利用してデータエラーを確認する（ステップ３３５）。万一、ｋ個のデータのうち、ｊ個のデータにエラーが発生したと仮定すれば、中継局３１０は、エラーが発生しないｋ−ｊ個のデータを中継局３１０のデータキューに格納する（ステップ３３７）。このとき、中継局３１０は、エラーが発生したｊ個のデータは格納しない。
【００５７】
以後、中継局３１０は、基地局３００に受信されたデータに対するＡＣＫ／ＮＡＣＫ制御メッセージを送信する（ステップ３３９）。すなわち、中継局３１０は、エラー無しで正常に受信されたデータに対するＡＣＫ制御メッセージとエラーの発生したデータに対するＮＡＣＫ制御メッセージとを基地局３００に送信する。ここで、中継局３１０は、ＡＣＫ／ＮＡＣＫ制御メッセージを前記表１のように構成して、基地局３００に送信する。
【００５８】
基地局３００は、中継局３１０と端末３２０とにスケジューリング情報（例：ダウンリンクマップ）を送信する（ステップ３４１）。例えば、基地局３００は、中継局３１０にスケジューリング情報を送信する。以後、中継局３１０は、基地局３００から提供されたスケジューリング情報を端末３２０に中継する。他の実施形態として基地局３００は、端末３２０にスケジューリング情報を送信する。このとき、中継局３１０は、基地局３００から端末３２０に送信するスケジューリング情報を聴取することができる。
【００５９】
中継局３１０の送信部３１４は、基地局３００から提供されたスケジューリング情報に応じて、データキューに存在するデータを端末３２０に送信する（ステップ３４７）。すなわち、中継局３１０は、スケジューリング情報に応じて基地局３００から受信成功したデータを端末３２０に送信する。
【００６０】
このとき、中継局３１０の受信部３１２は、送信部３１４と独立して基地局３００が送信するデータ又は再送信データを受信する（ステップ３４３〜３４５）。すなわち、基地局３００は、中継局３１０から提供されたＡＣＫ／ＮＡＣＫ制御メッセージを介して、ｊ個のデータにエラーが発生したことを認識する。以後、基地局３００は、エラーが発生したｊ個のデータを再送信する（ステップ３４３）。ここで、基地局３００は、再送信データだけでなく基地局３００のデータキューに残ったＮ−ｋ個の新しいデータのうち、ｋ−ｊ個のデータを再送信データと共に中継局３１０に送信する。
【００６１】
基地局３００の送信したデータを受信した中継局３１０の受信部３１２は、受信データのエラーチェックコードを確認して、受信データのエラー発生の有無を確認する。万一、受信データにエラーがなければ、データをデータキューに格納する。以後、基地局３００と中継局３１０とは、基地局３００のデータキューに格納されたＮ個のデータが成功的に中継局３１０に受信されるまで、前記の過程を繰り返す（ステップ３４５）。
【００６２】
端末３２０は、中継局３１０の送信部３１４が送信したデータを受信すると（ステップ３４９）、データのエラーチェックコードを確認してエラーを確認する（ステップ３５１）。万一、受信データのうち、ｐ個のデータにエラーが発生している場合、端末３２０は、エラーの発生しないデータに対するＡＣＫ制御メッセージとエラーのあるデータに対するＮＡＣＫ制御メッセージとを基地局３００に送信する（ステップ３５３）。このとき、端末３２０は、ＡＣＫ／ＮＡＣＫ制御メッセージを基地局３００に直接送信できる。また、端末３２０は、ＡＣＫ／ＮＡＣＫ制御メッセージを中継局３１０を介して基地局３００に送信することもできる。ここで、端末３２０は、ＡＣＫ／ＮＡＣＫ制御メッセージを上記の表２のように構成して、基地局３００に送信できる。
【００６３】
基地局３００は、端末３２０から提供されたＡＣＫ／ＮＡＣＫ制御メッセージを確認して、端末３２０の受信されたデータのうち、エラーの発生したデータとエラーの発生しないデータとを確認する。以後、基地局３００は、中継局３１０から端末３２０に送信したデータのエラー発生の有無の情報を中継局３１０に送信する（ステップ３５５）。すなわち、基地局３００は、エラーの発生しないデータに対する情報及びエラーの発生したデータに対する情報を含む再送信指示メッセージ（ＡＣＫ／ＮＡＣＫ  Ｉｎｄｉｃａｔｉｏｎ）を中継局３１０に送信する。ここで、基地局３００は、再送信指示メッセージは、前記表１のようにデータに対するＡＣＫ／ＮＡＣＫ情報を含むことができる。
【００６４】
以後、基地局３００は、中継局３１０と端末３２０とにスケジューリング情報（例：ダウンリンクＭＡＰ情報）を送信する（ステップ３５７）。例えば、基地局３００は、中継局３１０にスケジューリング情報を送信する。以後、中継局３１０は、基地局３００から提供されたスケジューリング情報を端末３２０に中継する。他の実施形態として、基地局３００は、端末３２０にスケジューリング情報を送信する。このとき、中継局３１０は、基地局３００から端末３２０に送信するスケジューリング情報を聴取することができる。
【００６５】
中継局３１０は、基地局３００から提供された再送信指示メッセージを介して、端末３２０に送信したデータのエラー発生の有無を確認する。以後、中継局３１０は、基地局３００から提供されたスケジューリング情報に応じて、エラーの発生したデータを端末３２０に再送信する(ステップ３５９）。このとき、中継局３１０は、再送信データだけでなく中継局３１０のデータキューに残った新しいデータを再送信データと共に端末３２０に送信する。
【００６６】
また、中継局３１０は、端末３２０にエラー無く受信されたデータ情報を受信すると、該当データをデータキューから廃棄する。
【００６７】
端末３２０は、中継局３１０の送信部３１４が送信したデータを受信すると（ステップ３６１）、データのエラーチェックコードを確認してエラー発生を確認する（ステップ３６３）。万一、データにエラーが発生すれば、端末３２０は、基地局３００に該当データに対する再送信を要請する。
【００６８】
以後、端末３２０は、中継局３１０のデータキューに存在するデータがすべて受信されるまで、前記の過程を繰り返す（ステップ３６５）。
【００６９】
図５は、本発明の第３の実施形態による中継方式を使用する無線通信システムにおいてダウンリンク信号を再送信するためのシステムを示している。以下の説明で基地局４００は、端末４２０に送信するデータがＮ個あり、１回にｋ個のデータが送信可能であると仮定する。
【００７０】
図５に示すように、基地局４００は、中継局４１０と端末４２０とにダウンリンクデータを送信するためのスケジューリング情報（例：ダウンリンクマップ）を送信する（ステップ４３０）。例えば、基地局４００は、中継局４１０にスケジューリング情報を送信する。以後、中継局４１０は、基地局４００から提供されたスケジューリング情報を端末４２０に中継する。他の実施形態として、基地局４００は、端末４２０にスケジューリング情報を送信する。このとき、中継局４１０は、基地局４００から端末４２０に送信するスケジューリング情報を聴取することができる。
【００７１】
以後、基地局４００は、スケジューリング情報に応じてＮ個のデータのうち、ｋ個のデータを中継局４１０に送信する（ステップ４３１）。
【００７２】
中継局４１０は、受信部４１２を介して基地局４００からデータを受信すると（ステップ４３３）、データのエラーチェックコード（ＣＲＣ：Ｃｙｃｌｉｃ  Ｒｅｄｕｎｄａｎｃｙ  Ｃｈｅｃｋ）を利用してデータエラーを確認する（ステップ４３５）。万一、ｋ個のデータのうち、ｊ個のデータにエラーが発生したと仮定すれば、中継局４１０は、エラーが発生しないｋ−ｊ個のデータを中継局４１０のデータキューに格納する（ステップ４３７）。このとき、中継局４１０は、エラーが発生したｊ個のデータは格納しない。
【００７３】
以後、中継局４１０は、受信したデータに対するＡＣＫ／ＮＡＣＫ制御メッセージを基地局４００に送信する（ステップ４３９）。すなわち、中継局４１０は、エラー無く正常に受信されたデータに対するＡＣＫ制御メッセージとエラーの発生したデータに対するＮＡＣＫ制御メッセージとを基地局４００に送信する。ここで、中継局４１０は、ＡＣＫ／ＮＡＣＫ制御メッセージを前記表１のように構成して、基地局４００に送信する。
【００７４】
基地局４００は、中継局４１０と端末４２０とにスケジューリング情報（例：ダウンリンクマップ）を送信する（ステップ４４１）。例えば、基地局４００は、中継局４１０にスケジューリング情報を送信する。以後、中継局４１０は、基地局４００から提供されたスケジューリング情報を端末４２０に中継する。他の実施形態として、基地局４００は、端末４２０にスケジューリング情報を送信する。このとき、中継局４１０は、基地局４００から端末４２０に送信するスケジューリング情報を聴取することができる。
【００７５】
中継局４１０の送信部４１４は、基地局４００から提供されたスケジューリング情報に応じて、データキューに存在するデータを端末４２０に送信する（ステップ４４７）。すなわち、中継局４１０は、スケジューリング情報に応じて基地局４００から受信成功したデータを端末４２０に送信する。
【００７６】
このとき、中継局４１０の受信部４１２は、送信部４１４と独立して基地局４００が送信するデータ又は再送信データを受信する（ステップ４４３〜４４５）。すなわち、基地局４００は、中継局４１０から提供されたＡＣＫ／ＮＡＣＫ制御メッセージを介して、ｊ個のデータにエラーが発生したことを認識する。以後、基地局４００は、エラーが発生したｊ個のデータを再送信する（ステップ４４３）。ここで、基地局４００は、再送信データだけでなく基地局４００のデータキューに残ったＮ−ｋ個の新しいデータのうち、ｋ−ｊ個のデータを再送信データと共に中継局４１０に送信する。
【００７７】
基地局４００が送信したデータを受信した中継局４１０の受信部４１２は、受信データのエラーチェックコードを確認して、受信データのエラー発生の有無を確認する。万一、受信データにエラーがなければ、データをデータキューに格納する。以後、基地局４００と中継局４１０とは、基地局４００のデータキューに格納されたＮ個のデータが成功的に中継局４１０に受信されるまで、前記の過程を繰り返す（ステップ４４５）。
【００７８】
端末４２０は、中継局４１０の送信部４１４が送信したデータを受信すると（ステップ４４９）、データのエラーチェックコードを確認してエラーを確認する（ステップ４５１）。万一、受信データのうち、ｐ個のデータにエラーが発生する場合、端末４２０は、エラーの発生しないデータに対するＡＣＫ制御メッセージと前記エラーのあるデータに対するＮＡＣＫ制御メッセージとを前記基地局４００に送信する（ステップ４５３）。このとき、端末４２０は、ＡＣＫ／ＮＡＣＫ制御メッセージを中継局４１０を介して基地局４００に送信することもできる。また、端末４２０は、ＡＣＫ／ＮＡＣＫ制御メッセージを基地局４００に直接送信できる。万一、端末４２０がＡＣＫ／ＮＡＣＫ制御メッセージを基地局４００に直接送信する場合、中継局４１０は、ＡＣＫ／ＮＡＣＫ制御メッセージを聴取することができる。すなわち、中継局４１０は、端末４２０が基地局４００にＡＣＫ／ＮＡＣＫ制御メッセージを送信するために割り当てられた無線資源（例：チャネル）情報が分かると仮定して、無線資源を利用してＡＣＫ／ＮＡＣＫ制御メッセージを受信することができる。ここで、ＡＣＫ／ＮＡＣＫ制御メッセージは、前記表２のように構成されることができる。
【００７９】
基地局４００は、端末４２０から提供されたＡＣＫ／ＮＡＣＫ制御メッセージを確認して、端末４２０が受信したデータのうち、エラーの発生したデータとエラーの発生しないデータとを確認する。
【００８０】
以後、基地局４００は、中継局４１０と端末４２０とにスケジューリング情報を送信する（ステップ４５５）。例えば、基地局４００は、中継局４１０にスケジューリング情報を送信する。以後、中継局４１０は、基地局４００から提供されたスケジューリング情報を端末４２０に中継する。他の実施形態として、基地局４００は、端末４２０にスケジューリング情報を送信する。このとき、中継局４１０は、基地局４００から端末４２０に送信するスケジューリング情報を聴取することができる。
【００８１】
中継局４１０は、基地局４００からスケジューリング情報を受信すると、端末４２０にてエラーの発生したデータを端末４２０に再送信する（ステップ４５７）。このとき、中継局４１０は、再送信データだけでなく、中継局４１０のデータキューに残った新しいデータを再送信データと共に端末４２０に送信する。
【００８２】
また、中継局４１０は、基地局４００からスケジューリング情報を受信すると、データキューに格納されたデータのうち、端末４２０からエラーの発生しないデータを廃棄する。
【００８３】
端末４２０は、中継局４１０の送信部４１４が送信したデータを受信すると（ステップ４５９）、受信データのエラーチェックコードを確認して、エラー発生の有無を判断する（ステップ４６１）。万一、受信データにエラーが発生すれば、端末４２０は、基地局４００に該当データの再送信を要請する。
【００８４】
以後、端末４２０は、中継局４１０のデータキューに存在するデータがすべて受信されるまで、前記の過程を繰り返す（ステップ４６３）。
【００８５】
図６は、本発明の第１の実施形態による中継方式を使用する無線通信システムにおいてアップリンク（ＵＬ）信号を再送信するためのシステムを示している。以下の説明で端末５２０は、基地局５００に送信するデータがＮ個あり、１回にｋ個のデータが送信可能であると仮定する。
【００８６】
図６に示すように、基地局５２０は、中継局５１０と端末５００とにアップリンクデータの送信のためのスケジューリング情報（例：アップリンクマップ）を送信する（ステップ５３０）。例えば、基地局５２０は、中継局５１０にスケジューリング情報を送信する。以後、中継局５１０は、基地局５２０から提供されたスケジューリング情報を端末５００に中継する。他の実施形態として、基地局５２０は、端末５００にスケジューリング情報を送信する。このとき、中継局５１０は、基地局５２０から端末５００に送信するスケジューリング情報を聴取することができる。
【００８７】
以後、端末５００は、スケジューリング情報に応じてＮ個のデータのうち、ｋ個のデータを中継局５１０に送信する（ステップ５３１）。
【００８８】
中継局５１０は、受信部５１２を介して端末５００からデータを受信すると（ステップ５３３）、データのエラーチェックコード（ＣＲＣ：Ｃｙｃｌｉｃ  Ｒｅｄｕｎｄａｎｃｙ  Ｃｈｅｃｋ）を利用して、データのエラー発生の有無を確認する（ステップ５３５）。万一、ｋ個のデータのうち、ｊ個のデータにエラーが発生したと仮定すれば、中継局５１０は、エラーが発生しないｋ−ｊ個のデータを中継局５１０のデータキューに格納する（ステップ５３７）。このとき、中継局５１０は、エラーが発生したｊ個のデータは格納しない。
【００８９】
以後、中継局５１０は、受信されたデータに対するＡＣＫ／ＮＡＣＫ制御メッセージを基地局５２０に送信する（ステップ５３９）。すなわち、中継局５１０は、エラーが無く正常に受信されたデータに対するＡＣＫ制御メッセージとエラーの発生したデータに対するＮＡＣＫ制御メッセージとを基地局５２０に送信する。このとき、基地局５２０は、中継局５１０から提供されたＡＣＫ／ＮＡＣＫ制御メッセージを端末５００に送信する（ステップ５４１）。
【００９０】
以後、基地局５２０は、中継局５１０と端末５００とにスケジューリング情報（例：アップリンクマップ）を送信する（ステップ５４３）。例えば、基地局５２０は、中継局５１０にスケジューリング情報を送信する。以後、中継局５１０は、基地局５２０から提供されたスケジューリング情報を端末５００に中継する。他の実施形態として、基地局５２０は、端末５００にスケジューリング情報を送信する。このとき、中継局５１０は、基地局５２０から端末５００に送信するスケジューリング情報を聴取することができる。
【００９１】
このとき、中継局５１０の受信部５１２は、端末５００が送信するデータ又は再送信データを受信する（ステップ５４５〜５４７）。すなわち、端末５００は、基地局５２０から提供されたＡＣＫ／ＮＡＣＫ制御メッセージを介して中継局５１０に送信したデータのうち、ｊ個のデータにエラーが発生したことを認識する。
【００９２】
したがって、端末５００は、基地局５２０から提供されたスケジューリング情報に応じて、エラーが発生したｊ個のデータを中継局５１０に再送信する（ステップ５４５）。このとき、端末５００は、再送信データだけでなく端末５００のデータキューに残ったＮ−ｋ個の新しいデータのうち、ｋ−ｊ個のデータを再送信データと共に中継局５１０に送信する。
【００９３】
中継局５１０の受信部５１２は、端末５００から提供されたデータのエラーチェックコードを確認して、データのエラー発生の有無を確認する。万一、データにエラーがなければ、データを中継局５１０のデータキューに格納する。以後、端末５００と中継局５１０とは、端末５００のデータキューに格納されたＮ個のデータが成功的に中継局５１０に受信されるまで、前記の過程を繰り返す（ステップ５４７）。
【００９４】
中継局５１０の送信部５１４は、受信部５１２と独立して基地局５２０から提供されたスケジューリング情報に応じて、データキューに存在するデータを基地局５２０に送信する（ステップ５４９）。すなわち、中継局５１０は、スケジューリング情報に応じて端末５００から受信成功したデータを基地局５２０に送信する。
【００９５】
基地局５２０は、中継局５１０の送信部５１４が送信したデータを受信すると（ステップ５５１）、データのエラーチェックコードを確認してエラーを確認する（ステップ５５３）。
【００９６】
以後、基地局５２０は、中継局５１０と端末５００とにスケジューリング情報（例：アップリンクマップ）を送信する（ステップ５５５）。このとき、基地局５２０は、スケジューリング情報にエラーの発生したデータに対する情報を含む再送信指示メッセージ（ＮＡＣＫ  ｉｎｄｉｃａｔｉｏｎ）を含めて中継局５１０に送信する。図示していないが、基地局５２０がステップ５４１にて中継局５１０から提供されたＡＣＫ／ＮＡＣＫ制御メッセージを端末５００に送信しない場合、基地局５２０は、ステップ５５５にてスケジューリング情報と中継局５１０から提供されたＡＣＫ／ＮＡＣＫ制御メッセージとを端末５００に送信できる。このとき、基地局５２０は、前記表２のように中継局５１０のＡＣＫ／ＮＡＣＫ制御メッセージを構成して端末５００に送信できる。
【００９７】
中継局５１０は、基地局５２０から提供された再送信指示メッセージを含むスケジューリング情報から基地局５２０にてエラーの発生したデータを確認する。以後、中継局５１０は、スケジューリング情報に応じて、エラーの発生したデータを基地局５２０に再送信する（ステップ５５７）。このとき、中継局５１０は、再送信データだけでなく、中継局５１０のデータキューに残った新しいデータを再送信データと共に基地局５２０に送信する。
【００９８】
基地局５２０は、中継局５１０の送信部５１４が送信したデータを受信すると（ステップ５５９）、データのエラーチェックコードを確認してエラー発生の有無を確認する（ステップ５６１）。万一、受信データにエラーが発生すれば、基地局５２０は、中継局５１０に該当データの再送信を要請する。
【００９９】
以後、基地局５２０は、中継局５１０のデータキューに存在するデータがすべて受信されるまで、前記の過程を繰り返す（ステップ５６３）。
【０１００】
図７は、本発明の第２の実施形態による中継方式を使用する無線通信システムにおいてアップリンク信号を再送信するためのシステムを示している。以下の説明で基地局６２０は、端末６００に送信するデータがＮ個あり、１回にｋ個のデータが送信可能であると仮定する。
【０１０１】
図７に示すように、基地局６２０は、中継局６１０と端末６００とにアップリンクデータの送信のためのスケジューリング情報（例：アップリンクマップ）を送信する（ステップ６３０）。例えば、基地局６２０は、中継局６１０にスケジューリング情報を送信する。以後、中継局６１０は、基地局６２０から提供されたスケジューリング情報を端末６００に中継する。他の実施形態として、基地局６２０は、端末６００にスケジューリング情報を送信する。このとき、中継局６１０は、基地局６２０から端末６００に送信するスケジューリング情報を聴取することができる。
【０１０２】
以後、端末６００は、スケジューリング情報に応じてＮ個のデータのうち、ｋ個のデータを中継局６１０に送信する（ステップ６３１）。
【０１０３】
中継局６１０は、受信部６１２を介して端末６００からデータを受信すると（ステップ６３３）、データのエラーチェックコード（ＣＲＣ：Ｃｙｃｌｉｃ  Ｒｅｄｕｎｄａｎｃｙ  Ｃｈｅｃｋ）を利用して、データのエラー発生の有無を確認する（ステップ６３５）。万一、ｋ個のデータのうち、ｊ個のデータにエラーが発生したと仮定すれば、中継局６１０は、エラーが発生しないｋ−ｊ個のデータを中継局６１０のデータキューに格納する（ステップ６３７）。このとき、中継局６１０は、エラーが発生したｊ個のデータは格納しない。
【０１０４】
以後、中継局６１０は、受信されたデータに対するＡＣＫ／ＮＡＣＫ制御メッセージを基地局６２０に送信する（ステップ６３９）。すなわち、中継局６１０は、エラーが無く正常に受信されたデータに対するＡＣＫ制御メッセージとエラーの発生したデータに対するＮＡＣＫ制御メッセージとを基地局６２０に送信する。このとき、基地局６２０は、中継局６１０から提供されたＡＣＫ／ＮＡＣＫ制御メッセージを端末６００に送信する（ステップ６４１）。
【０１０５】
以後、基地局６２０は、中継局６１０と端末６００とにスケジューリング情報（例：アップリンクマップ）を送信する（ステップ６４３）。例えば、基地局６２０は、中継局６１０にスケジューリング情報を送信する。以後、中継局６１０は、基地局６２０から提供されたスケジューリング情報を端末６００に中継する。他の実施形態として、基地局６２０は、端末６００にスケジューリング情報を送信する。このとき、中継局６１０は、基地局６２０から端末６００に送信するスケジューリング情報を聴取することができる。
【０１０６】
このとき、中継局６１０の受信部６１２は、端末６００が送信するデータ又は再送信データを受信する（ステップ６４５〜６４７）。すなわち、端末６００は、基地局６２０から提供されたＡＣＫ／ＮＡＣＫ制御メッセージを介して、中継局６１０に送信したデータのうち、ｊ個のデータにエラーが発生したことを認識する。
【０１０７】
したがって、端末６００は、基地局６２０から提供されたスケジューリング情報に応じて、エラーの発生したｊ個のデータを中継局６１０に再送信する（ステップ６４５）。このとき、端末６００は、再送信データだけでなく端末６００のデータキューに残ったＮ−ｋ個の新しいデータのうち、ｋ−ｊ個のデータを再送信データと共に中継局６１０に送信する。
【０１０８】
中継局６１０の受信部６１２は、端末６００から提供されたデータのエラーチェックコードを確認して、データのエラー発生有無を確認する。万一、データにエラーがなければ、データを前記中継局６１０のデータキューに格納する。以後、端末６００と中継局６１０とは、端末６００のデータキューに格納されたＮ個のデータが成功的に中継局６１０に受信されるまで、前記の過程を繰り返す（ステップ６４７）。
【０１０９】
中継局６１０の送信部６１４は、受信部６１２と独立して基地局６２０から提供されたスケジューリング情報に応じて、データキューに存在するデータを基地局６２０に送信する（ステップ６４９）。すなわち、中継局６１０は、スケジューリング情報に応じて端末６００から受信成功したデータを基地局６２０に送信する。
【０１１０】
基地局６２０は、中継局６１０の送信部６１４が送信したデータを受信すると（ステップ６５１）、データのエラーチェックコードを確認してエラーを確認する（ステップ６５３）。
【０１１１】
以後、基地局６２０は、中継局６１０と端末６００とにスケジューリング情報（例：アップリンクマップ）を送信する（ステップ６５５）。このとき、基地局６２０は、スケジューリング情報にエラーの発生したデータとエラーの発生しないデータとに対する情報を含む再送信指示メッセージ（ＡＣＫ／ＮＡＣＫ  ｉｎｄｉｃａｔｉｏｎ）を含めて、中継局６１０に送信する。図示していないが、基地局６２０がステップ６４１にて中継局６１０から提供されたＡＣＫ／ＮＡＣＫ制御メッセージを端末６００に送信しない場合、基地局６２０は、ステップ６５５にてスケジューリング情報と中継局６１０から提供されたＡＣＫ／ＮＡＣＫ制御メッセージとを端末６００に送信できる。このとき、基地局６２０は、前記表２のように、中継局６１０のＡＣＫ／ＮＡＣＫ制御メッセージを構成して、端末６００に送信できる。
【０１１２】
中継局６１０は、基地局６２０から提供された再送信指示メッセージを含むスケジューリング情報から基地局６２０にてエラーの発生したデータを確認する。以後、中継局６１０は、スケジューリング情報に応じて、エラーの発生したデータを基地局６２０に再送信する（ステップ６５７）。このとき、中継局６１０は、再送信データだけでなく中継局６１０のデータキューに残った新しいデータを再送信データと共に基地局６２０に送信する。
【０１１３】
基地局６２０は、中継局６１０の送信部６１４の送信したデータが受信されれば（ステップ６５９）、データのエラーチェックコードを確認してエラー発生の有無を確認する（ステップ６６１）。万一、受信データにエラーが発生すれば、基地局６２０は、中継局６１０に該当データの再送信を要請する。
【０１１４】
以後、基地局６２０は、中継局６１０のデータキューに存在するデータがすべて受信されるまで、前記の過程を繰り返す（ステップ６６３）。
【０１１５】
図８は、本発明の第３の実施形態による中継方式を使用する無線通信システムにおいてアップリンク信号を再送信するためのシステムを示している。以下の説明で端末７００は、基地局７２０に送信するデータがＮ個あり、１回にｋ個のデータが送信可能であると仮定する。
【０１１６】
図８に示すように、基地局７２０は、中継局７１０と端末７００においてアップリンクデータの送信のためのスケジューリング情報（例：アップリンクマップ）を送信する（ステップ７３０）。例えば、基地局７２０は、中継局７１０にスケジューリング情報を送信する。以後、中継局７１０は、基地局７２０から提供されたスケジューリング情報を端末７００に中継する。他の実施形態として、基地局７２０は、端末７００に前記スケジューリング情報を送信する。このとき、中継局７１０は、基地局７２０から端末７００に送信するスケジューリング情報を聴取することができる。
【０１１７】
以後、端末７００は、スケジューリング情報に応じてＮ個のデータのうち、ｋ個のデータを中継局７１０に送信する（ステップ７３１）。
【０１１８】
中継局７１０は、受信部７１２を介して端末７００からデータを受信すると（ステップ７３３）、データのエラーチェックコード（ＣＲＣ：Ｃｙｃｌｉｃ  Ｒｅｄｕｎｄａｎｃｙ  Ｃｈｅｃｋ）を利用してエラー発生の有無を確認する（ステップ７３５）。万一、ｋ個のデータのうち、ｊ個のデータにエラーが発生したと仮定すれば、中継局７１０は、エラーが発生しないｋ−ｊ個のデータを中継局７１０のデータキューに格納する（ステップ７３７）。
【０１１９】
以後、中継局７１０は、受信されたデータに対するＡＣＫ／ＮＡＣＫ制御メッセージを基地局７２０に送信する（ステップ７３９）。すなわち、中継局７１０は、エラーが無く正常に受信されたデータに対するＡＣＫ制御メッセージとエラーの発生したデータに対するＮＡＣＫ制御メッセージとを基地局７２０に送信する。
【０１２０】
以後、基地局７２０は、中継局７１０と端末７００とにスケジューリング情報（例：アップリンクマップ）を送信する（ステップ７４３）。例えば、中継局７１０から基地局７２０へＡＣＫ制御メッセージを送信した場合、基地局７２０は、端末７００にＡＣＫ制御メッセージを送信する（ステップ７４１）。また、基地局７２０は、中継局７１０にデータスケジューリング情報を送信する。このとき、中継局７１０は、データスケジューリング情報に応じて端末７００から提供されたデータを基地局７２０に送信する。万一、中継局７１０から基地局７２０へＮＡＣＫ制御メッセージを送信した場合、基地局７２０は、端末７００にＮＡＣＫ制御メッセージを送信する（ステップ７４１）。また、基地局７２０は、端末７００にデータを再送信するためのスケジューリング情報を送信する。
【０１２１】
このとき、中継局７１０の受信部７１２は、端末７００が送信するデータ又は再送信データを受信する（ステップ７４５〜７４７）。すなわち、端末７００は、基地局７２０から提供された前記ＡＣＫ／ＮＡＣＫ制御メッセージを介して中継局７１０に送信したデータのうち、ｊ個のデータにエラーが発生したことを認識する。
【０１２２】
したがって、端末７００は、基地局７２０から提供されたスケジューリング情報に応じて、エラーが発生したｊ個のデータを中継局７１０に再送信する（ステップ７４５）。
【０１２３】
中継局７１０の受信部７１２は、端末７００から提供されたデータのエラーチェックコードを確認して、エラー発生の有無を確認する。万一、データにエラーがなければ、データを中継局７１０のデータキューに格納する。このとき、データにエラーが発生した場合は、中継局７１０は、基地局７２０を介して端末７００にエラーの発生したデータに対する再送信を要請する。
【０１２４】
以後、端末７００と中継局７１０とは、端末７００のデータキューに格納されたＮ個のデータが成功的に中継局７１０に受信されるまで、過程を繰り返す（ステップ７４７）。
【０１２５】
中継局７１０の送信部７１４は、受信部７１２と独立して基地局７２０から提供されたスケジューリング情報に応じて、データキューに存在するデータを基地局７２０に送信する（ステップ７４９）。すなわち、中継局７１０は、スケジューリング情報に応じて端末７００から受信成功したデータを基地局７２０に送信する。
【０１２６】
基地局７２０は、中継局７１０の送信部７１４が送信したデータを受信すると（ステップ７５１）、データのエラーチェックコードを確認してエラーを確認する（ステップ７５３）。
【０１２７】
ここで、受信データのうち、ｐ個のデータにエラーが発生することと仮定する場合、基地局７２０は、エラーの発生しないデータに対するＡＣＫ制御メッセージとエラーが発生したｐ個のデータに対するＮＡＣＫ制御メッセージとを中継局７１０に送信する（ステップ７５５）。万一、基地局７２０がステップ７４１にて中継局７１０から提供されたＡＣＫ／ＮＡＣＫ制御メッセージを端末７００に送信しない場合、基地局７２０は、ステップ７５５にて端末７００に中継局７１０から提供されたＡＣＫ／ＮＡＣＫ制御メッセージを送信することができる。このとき、基地局７２０は、前記表２のように、ＡＣＫ／ＮＡＣＫ制御メッセージを構成して端末７００に送信できる。
【０１２８】
以後、基地局７２０は、中継局７１０と端末７００とにスケジューリング情報（例：アップリンクマップ）を送信する（ステップ７５７）。
【０１２９】
中継局７１０は、基地局７２０から提供されたＡＣＫ／ＮＡＣＫ制御メッセージを介して基地局７２０に送信したデータのうち、エラーの発生したデータを確認する。以後、中継局７１０は、基地局７２０から提供されたスケジューリング情報に応じて、エラーの発生したデータを基地局７２０に再送信する（ステップ７５９）。このとき、中継局７１０は、再送信データだけでなく中継局７１０のデータキューに残った新しいデータを再送信データと共に基地局７２０に送信する。
【０１３０】
基地局７２０は、中継局７１０の送信部７１４の送信したデータを受信すると（ステップ７６１）、データのエラーチェックコードを確認してエラー発生の有無を確認する（ステップ７６３）。万一、受信データにエラーが発生すれば、基地局７２０は、中継局７１０に該当データの再送信を要請する。
【０１３１】
以後、基地局７２０は、中継局７１０のデータキューに存在するデータがすべて受信されるまで、前記の過程を繰り返す（ステップ７６５）。
【０１３２】
図９から図１１は、本発明の実施形態による送信機の状態遷移度を示している。ここで、送信機は、ダウンリンクでは、基地局を表し、アップリンクでは、端末を表す。しかしながら、以下の説明では、ダウンリンクの基地局を例に挙げて説明する。また、以下の説明で送信機のＡＲＱ状態は、キュー格納状態Ｄａｔａ  ｉｎ  Ｔｘ．Ｑｕｅ８００、中継局応答待機状態Ｗａｉｔ  Ｒ−ＡＣＫ８０１、受信機応答待機状態Ｗａｉｔ  ＡＣＫ８０２、廃棄状態Ｄａｔａ  Ｄｉｓｃａｒｄ８０３、再送信状態Ｗａｉｔｉｎｇ  ｆｏｒ  Ｒｅｔｒａｎｓｍｉｓｓｉｏｎ８０４、完了状態Ｄｏｎｅ８０５及び指示メッセージ送信状態８０６に区分される。
【０１３３】
図９に示すように、図９は、前記図３と図６に対する送信機の状態遷移度を示し、図１０は、前記図４と図７に対する送信機の状態遷移度を示す。また、図１１は、前記図５と図８に対する送信機の状態遷移度を示す。
【０１３４】
まず、図９に示すように、まずキュー格納状態８００は、送信機が中継局に送信するためのデータがキューに格納されている状態を示す。キュー格納状態８００から中継局へデータ送信が行われれば、送信機は、中継局応答待機状態８０１に遷移して中継局からＡＣＫ／ＮＡＣＫメッセージの受信を待機する。
【０１３５】
中継局応答待機状態８０１で中継局から送信したデータの一部又はすべてに対してＮＡＣＫメッセージが受信されれば、送信機は、再送信状態８０４に遷移する。再送信状態８０４に遷移した送信機は、再送信要請されたデータを中継局に再送信し、中継局応答待機状態８０１に再度遷移する。
【０１３６】
一方、中継局応答待機状態８０１で中継局から送信したデータに対してＡＣＫメッセージが受信されれば、送信機は、受信機応答待機状態８０２に遷移して、受信機からＡＣＫ／ＮＡＣＫメッセージの受信を待機する。ここで、受信機から受信されるＡＣＫ／ＮＡＣＫメッセージは、受信機が中継局から受信したデータのエラー発生の有無の情報を含む。
【０１３７】
万一、受信機応答待機状態８０２で受信機から中継局の送信したデータの一部又は全てに対してＡＣＫメッセージが受信されれば、送信機は完了状態８０５に遷移して、送信成功されたデータに対する送信を完了する。このとき、送信機は、受信機に送信が完了したデータに対する有効時間タイマーを終了させる。
【０１３８】
また、送信機は、受信機にデータの送信が完了すれば、廃棄状態８０３に遷移してデータキューから送信完了したデータを廃棄する。
【０１３９】
万一、受信機応答待機状態８０２で受信機から中継局の送信したデータの一部又は全てに対してＮＡＣＫメッセージが受信されれば、送信機は、指示メッセージ送信状態８０６に遷移する。指示メッセージ送信状態８０６に遷移した送信機は、再送信指示メッセージ（ＮＡＣＫ  ｉｎｄｉｃａｔｉｏｎ）を中継局に送信し、受信機応答待機状態８０２に再度遷移する。
【０１４０】
一方、データは、各々有効時間（ｌｉｆｅ  ｔｉｍｅ）タイマーを有している。したがって、継続的な再送信が失敗して予め設定された有効時間タイマーが満了すれば、送信機は、廃棄状態８０３に遷移して該当データをキューから廃棄する。
【０１４１】
次に、図１０に示すように、まずキュー格納状態８００は、送信機が中継局に送信するためのデータがキューに格納されている状態を示す。キュー格納状態８００で中継局へデータの送信が行われれば、送信機は、中継局応答待機状態８０１に遷移して中継局からＡＣＫ／ＮＡＣＫメッセージの受信を待機する。
【０１４２】
万一、中継局応答待機状態８０１で中継局から送信したデータの一部又は全てに対してＮＡＣＫメッセージが受信されれば、送信機は、再送信状態８０４に遷移する。再送信状態８０４に遷移した送信機は、再送信要請されたデータを中継局に再送信し、中継局応答待機状態８０１に再度遷移する。
【０１４３】
一方、中継局応答待機状態８０１で送信したデータに対してＡＣＫメッセージが受信されれば、送信機は、受信機応答待機状態８０２に遷移して、受信機からＡＣＫ／ＮＡＣＫメッセージの受信を待機する。ここで、受信機から受信されるＡＣＫ／ＮＡＣＫメッセージは、受信機が中継局から受信したデータのエラー有無の情報を含む。
【０１４４】
万一、受信機応答待機状態８０２で受信機から中継局の送信したデータの全体に対してＡＣＫメッセージが受信されれば、送信機は、完了状態８０５に遷移して送信成功されたデータに対する送信を完了する。このとき、送信機は、受信機に送信が完了したデータに対する有効時間タイマーを中止する。
【０１４５】
また、受信機にデータの送信が完了すれば、送信機は、廃棄状態８０３に遷移して送信完了したデータをデータキューから廃棄する。
【０１４６】
万一、受信機応答待機状態８０２で受信機から中継局の送信したデータの一部又は全体に対してＮＡＣＫメッセージ又は送信したデータの一部に対してＡＣＫメッセージが受信されれば、送信機は、指示メッセージ送信状態８０６に遷移する。指示メッセージ送信状態８０６に遷移した送信機は、ＡＣＫ／ＮＡＣＫ指示メッセージ（ＡＣＫ／ＮＡＣＫ  ｉｎｄｉｃａｔｉｏｎ）を中継局に送信し、受信機応答待機状態８０２に再度遷移する。このとき、送信機は、指示メッセージ送信状態８０６で中継局が受信機に送信したデータのうち、ＡＣＫメッセージに対するデータを廃棄するために、廃棄状態８０３に遷移する。
【０１４７】
一方、データは、各々有効時間（ｌｉｆｅ  ｔｉｍｅ）タイマーを有している。したがって、継続的な再送信が失敗して予め設定された有効時間タイマーが満了すれば、送信機は、廃棄状態８０３に遷移して該当データをキューから廃棄する。
【０１４８】
最後に、図１１に示すように、まずキュー格納状態８００は、送信機が中継局に送信するためのデータがキューに格納されている状態を示す。キュー格納状態８００で中継局へデータの送信が行われれば、送信機は、中継局応答待機状態８０１に遷移して中継局からＡＣＫ／ＮＡＣＫメッセージの受信を待機する。
【０１４９】
万一、中継局応答待機状態８０１で中継局から送信したデータの一部又は全てに対してＮＡＣＫメッセージが受信されれば、送信機は、再送信状態８０４に遷移する。再送信状態８０４に遷移した送信機は、再送信要請されたデータを中継局に再送信し、中継局応答待機状態８０１に再度遷移する。
【０１５０】
一方、中継局応答待機状態８０１で中継局から送信したデータに対してＡＣＫメッセージが受信されれば、送信機は、受信機応答待機状態８０２に遷移して受信機からＡＣＫ／ＮＡＣＫメッセージの受信を待機する。ここで、受信機から受信されるＡＣＫ／ＮＡＣＫメッセージは、受信機が中継局から受信したデータのエラー有無の情報を含む。
【０１５１】
万一、受信機応答待機状態８０２で受信機から中継局の送信したデータの一部又は全体に対してＡＣＫメッセージが受信されれば、送信機は、完了状態８０５に遷移して受信機に送信成功されたデータに対する送信を完了する。このとき、送信機は、受信機に送信が完了したデータに対する有効時間タイマーを中止する。
【０１５２】
また、受信機にデータの送信が完了すれば、送信機は、廃棄状態８０３に遷移して送信成功されたデータをキューから廃棄する。
【０１５３】
万一、受信機応答待機状態８０２で受信機から中継局の送信したデータの一部又は全てに対してＮＡＣＫメッセージが受信されれば、送信機は、受信機応答待機状態８０２を維持する。
【０１５４】
一方、データブロックは、各々有効時間（ｌｉｆｅ  ｔｉｍｅ）タイマーを有している。したがって、継続的な再送信が失敗して予め設定された有効時間タイマーが満了すれば、送信機は、廃棄状態８０３に遷移して該当データブロックを廃棄（ｄｉｓｃａｒｄ）する。
【０１５５】
図１２は、本発明の実施の形態による受信機の状態遷移度を示している。ここで、受信機は、ダウンリンクでは端末を示し、アップリンクでは、基地局を示す。以下の説明で受信機のＡＲＱ状態は、受信待機状態Ｗａｉｔ  Ｄａｔａ９００、デコード状態Ｄａｔａ  Ｄｅｃｏｄｉｎｇ９０２及び完了状態Ｄｏｎｅ９０４に区分される。
【０１５６】
図１２に示すように、まず受信待機状態９００は、中継局からデータの受信を待機する状態である。受信待機状態９００で中継局からデータが受信されれば、受信機は、デコード状態９０２に遷移して受信されたデータをデコードする。このとき、受信機は、データのＣＲＣを検査してエラー有無を判別する。
【０１５７】
万一、データにエラーがなければ、受信機は、送信機にＡＣＫメッセージを送信した後、完了状態９０４に遷移する。一方、データの一部又はすべてにエラーが存在すれば、受信機は、送信機にＮＡＣＫメッセージを送信した後、再度受信待機状態９００に遷移する。
【０１５８】
図１３から図１５は、本発明の実施形態による中継局の状態遷移度を示している。以下の説明で中継局のＡＲＱ状態は、大きく送信状態と受信状態とに区分されることができる。受信状態は、受信待機状態Ｗａｉｔ  ｄａｔａ１０００、デコード状態Ｄａｔａ  ｄｅｃｏｄｉｎｇ１００１、受信キュー格納状態Ｓｔｏｒｅ  ｉｎ  ＲＳ  Ｒｘ．Ｑｕｅ１００２に区分される。また、送信状態は、送信キュー格納状態Ｄａｔａ  ｉｎ  ＲＳ  Ｔｘ．Ｑｕｅ１００３、指示メッセージ待機状態Ｗａｉｔ  ＡＣＫ／ＮＡＣＫ  ｉｎｄｉｃａｔｉｏｎ１００４、廃棄状態Ｄａｔａ  Ｄｉｓｃａｒｄ１００５、再送信状態Ｗａｉｔｉｎｇ  ｆｏｒ  Ｒｅｔｒａｎｓｍｉｓｓｉｏｎ１００６及び完了状態Ｄｏｎｅ１００７に区分される。
【０１５９】
図１３に示すように、図１３は、図３と図６とに対する中継局の状態遷移度を示し、図１４は、図４と図７に対する中継局の状態遷移度を示す。また、図１５は、図５と図８とに対する中継局の状態遷移度を示す。
【０１６０】
まず、図１３に示すように、まず受信待機状態１０００は、送信機からのデータ受信を待機する状態である。受信待機状態１０００で送信機からデータが受信されれば、中継局は、デコード状態１００１に遷移して受信されたデータをデコードする。このとき、中継局は、データのＣＲＣを検査してエラーの有無を判別する。
【０１６１】
万一、データにエラーがなければ、中継局は、基地局にＡＣＫメッセージを送信した後、受信キュー格納状態１００２に遷移して受信成功したデータを受信キューＲｘ．Ｑｕｅに格納する。
【０１６２】
一方、データの一部又は全てにエラーが存在すれば、中継局は、基地局にＮＡＣＫメッセージを送信した後、受信待機状態１０００に再度遷移する。
【０１６３】
このとき、中継局は、受信キューに格納されたデータを受信機に中継送信するために送信キューＴｘ．Ｑｕｅで複写した後、送信キュー格納状態１００３に遷移する。ここで、受信キューと送信キューとが物理的に分離された場合、中継局は、受信キューに格納されたデータを送信キューで複写する。しかしながら、受信キューと送信キューとが一つのキューで構成される場合、中継局は、複写動作を行わない。
【０１６４】
送信キュー格納状態１００３に遷移した中継局は、送信キューに格納されたデータを受信機に送信し、有効時間タイマーを駆動させる。以後、中継局は、指示メッセージ待機状態１００４に遷移して基地局からのＮＡＣＫ指示メッセージ（ＮＡＣＫ  ｉｎｄｉｃａｔｉｏｎ）の受信を待機する。ここで、基地局から受信されるＮＡＣＫ指示メッセージは、中継局が受信機に送信したデータに対するエラー発生情報を含む。
【０１６５】
万一、指示メッセージ待機状態１００４で基地局からＮＡＣＫ指示メッセージが受信されれば、中継局は、再送信状態１００６に遷移する。再送信状態１００６に遷移した中継局は、ＮＡＣＫ指示メッセージに該当するデータを受信機に再送信し、指示メッセージ待機状態１００４に再度遷移する。
【０１６６】
一方、データは、各々有効時間（ｌｉｆｅ  ｔｉｍｅ）タイマーを有している。したがって、継続的な再送信が失敗して予め設定された有効時間タイマーが満了すれば、中継局は、廃棄状態１００５に遷移して該当データをキューから廃棄（ｄｉｓｃａｒｄ）する。このように中継局は、基地局の制御によって受信機にデータを再送信する。
【０１６７】
次に、図１４に示すように、まず受信待機状態１０００は、送信機からのデータ受信を待機する状態である。受信待機状態１０００で送信機からデータが受信されれば、中継局は、デコード状態１００１に遷移して受信されたデータをデコードする。このとき、中継局は、データのＣＲＣを検査してエラー有無を判別する。
【０１６８】
万一、データにエラーがなければ、中継局は、基地局にＡＣＫメッセージを送信した後、受信キュー格納状態１００２に遷移して受信成功したデータを受信キューＲｘ．Ｑｕｅに格納する。
【０１６９】
一方、データの一部又はすべてにエラーが存在すれば、中継局は、基地局にＮＡＣＫメッセージを送信した後、受信待機状態１０００に再度遷移する。
【０１７０】
このとき、中継局は、受信キューに格納されたデータを受信機に中継送信するために送信キューＴｘ．Ｑｕｅで複写した後、送信キュー格納状態１００３に遷移する。ここで、受信キューと送信キューとが物理的に分離された場合、中継局は、受信キューに格納されたデータを送信キューで複写する。しかしながら、受信キューと送信キューとが一つのキューで構成される場合、中継局は、複写動作を行わない。
【０１７１】
送信キュー格納状態１００３に遷移した中継局は、送信キューに格納されたデータを受信機に送信し有効時間タイマーを駆動する。以後、中継局は、指示メッセージ待機状態１００４に遷移して基地局からＡＣＫ／ＮＡＣＫ指示メッセージ（ＡＣＫ／ＮＡＣＫ  ｉｎｄｉｃａｔｉｏｎ）の受信を待機する。ここで、基地局から受信されるＡＣＫ／ＮＡＣＫ指示メッセージは、中継局が受信機に送信したデータに対するエラー有無の情報を含む。
【０１７２】
万一、指示メッセージ待機状態１００４で基地局からＡＣＫ指示メッセージが受信されれば、中継局は、完了状態１００７に遷移して受信機に送信成功されたデータに対する送信を完了する。このとき、中継局は、受信機に送信が完了したデータに対する有効時間タイマーを中止する。
【０１７３】
また、受信機にデータの送信が完了すれば、中継局は、廃棄状態１００５に遷移して送信成功されたデータをキューから廃棄する。
【０１７４】
一方、指示メッセージ待機状態１００４で基地局からＮＡＣＫ指示メッセージが受信されれば、中継局は、再送信状態１００６に遷移する。再送信状態１００６に遷移した中継局は、ＮＡＣＫ指示メッセージに該当するデータブロックを受信機に再送信し、指示メッセージ待機状態１００４に再度遷移する。
【０１７５】
このとき、データは、各々有効時間（ｌｉｆｅ  ｔｉｍｅ）タイマーを有している。したがって、継続的な再送信が失敗して予め設定された有効時間タイマーが満了すれば、中継局は、廃棄状態１００５に遷移して該当データをキューから廃棄（ｄｉｓｃａｒｄ）する。このように中継局は、基地局の制御によって受信機にデータを再送信する。
【０１７６】
最後に、図１５に示すように、まず受信待機状態１０００は、送信機からのデータ受信を待機する状態である。受信待機状態１０００でデータが受信されれば、中継局は、デコード状態１００１に遷移して受信されたデータをデコードする。このとき、中継局は、データのＣＲＣを検査してエラー有無を判別する。
【０１７７】
万一、データにエラーがなければ、中継局は、基地局にＡＣＫメッセージを送信した後、受信キュー格納状態１００２に遷移して受信成功したデータを受信キューＲｘ．Ｑｕｅに格納する。
【０１７８】
一方、データの一部又は全てにエラーが存在すれば、中継局は、基地局にＮＡＣＫメッセージを送信した後、受信待機状態１０００に再度遷移する。
【０１７９】
このとき、中継局は、受信キューに格納されたデータを受信機に中継送信するために送信キューＴｘ．Ｑｕｅで複写した後、送信キュー格納状態１００３に遷移する。ここで、受信キューと送信キューとが物理的に分離された場合、中継局は、受信キューに格納されたデータを送信キューで複写する。しかしながら、受信キューと送信キューとが一つのキューで構成される場合、中継局は、複写動作を行わない。
【０１８０】
送信キュー格納状態１００３に遷移した中継局は、送信キューに格納されたデータを受信機に送信し、有効時間タイマーを駆動する。以後、中継局は、応答待機状態１００４に遷移して受信機からＡＣＫ／ＮＡＣＫメッセージの受信を待機する。ここで、ＡＣＫ／ＮＡＣＫメッセージは、受信機が送信機に送信するＡＣＫ／ＮＡＣＫメッセージを意味する。すなわち、中継局は、受信機が送信機にＡＣＫ／ＮＡＣＫメッセージを送信するための無線資源情報を知っていると仮定して、資源情報を利用して受信機が送信機に送信するＡＣＫ／ＮＡＣＫメッセージを受信する。
【０１８１】
万一、応答待機状態１００４で受信機に送信したデータに対するＡＣＫメッセージが受信されれば、中継局は、完了状態１００７に遷移して送信成功されたデータに対する送信を完了する。このとき、中継局は、データに対する有効時間タイマーを中止する。
【０１８２】
また、受信機にデータの送信が完了すれば、中継局は、廃棄状態１００５に遷移して受信機に送信成功されたデータを廃棄する。
【０１８３】
一方、応答待機状態１００４で受信機に送信したデータに対するＮＡＣＫメッセージが受信されれば、中継局は、再送信状態１００６に遷移する。再送信状態１００６に遷移した中継局は、基地局からＭＡＰメッセージが受信されれば、ＮＡＣＫメッセージに該当するデータを受信機に再送信し、応答待機状態１００４に再度遷移する。
【０１８４】
一方、データは、各々有効時間（ｌｉｆｅ  ｔｉｍｅ）タイマーを有している。したがって、継続的な再送信が失敗して予め設定された有効時間タイマーが満了すれば、中継局は、廃棄状態１００５に遷移して該当データをキューから廃棄（ｄｉｓｃａｒｄ）する。
【０１８５】
図１６は、本発明の第１の実施形態による中継方式を使用する無線通信システムにおける再送信手順を示している。以下の説明は、図３、図４に対する中継局を利用した再送信を行うための無線通信手順を示している。
【０１８６】
図１６に示すように、送信機１１００は、データキューに格納されたデータ（ステップ１１１１）のうち、１回に送信できるデータを中継局１１０２に送信する（ステップ１１１３）。このとき、送信機１１００は、送信したデータの有効時間を確認するためにタイマーを駆動させる。
【０１８７】
中継局１１０２は、待機状態で送信機１１００からデータを受信すると、受信データを復号してエラーチェックコードを介してデータのエラーを検査する（ステップ１１１５）。万一、データにエラーが発生した場合、中継局１１０２は、送信機１１００にＮＡＣＫ制御メッセージを送信する（ステップ１１１７）。図示していないが、データにエラーが発生しなければ、中継局１１０２は、送信機１１００にＡＣＫ制御メッセージを送信する。
【０１８８】
送信機１１００は、中継局１１０２からＮＡＣＫ制御メッセージを受信すると（ステップ１１１９）、ＮＡＣＫ制御メッセージに応じるデータを中継局１１０２に再送信する（ステップ１１２１）。ここで、送信機１１００は、再送信データと共にデータキューに格納された新しいデータを中継局１１０２に送信できる。
【０１８９】
中継局１１０２は、送信機１１００から再送信データを受信すると、データを復号してエラーチェックコードを介してデータのエラーを検査する（ステップ１１２３）。万一、データにエラーがなければ、中継局１１０２は、送信機１１００にＡＣＫ制御メッセージを送信し（ステップ１１２５）、エラーのないデータを中継局１１０２のデータキューに格納する。図示していないが、データにエラーが発生した場合、中継局１１０２は、送信機１１００にＮＡＣＫ制御メッセージを送信する。
【０１９０】
このとき、送信機１１００は、中継局１１０２からＡＣＫ制御メッセージを受信すると、受信機１１０４からのＡＣＫ／ＮＡＣＫ制御メッセージの受信を待つ（ステップ１１２７）。
【０１９１】
中継局１１０２の送信部は、データキューに格納されたデータ（ステップ１１２９）を受信機１１０４に送信する（ステップ１１３１）。このとき、中継局１１０２は、送信したデータの有効時間を確認するためにタイマーを駆動させる。
【０１９２】
受信機１１０４は、中継局１１０２からデータを受信すると、データを復号してエラーを検査する（ステップ１１３３）。
【０１９３】
万一、データにエラーが発生した場合、受信機１１０４は、送信機１１００にＮＡＣＫ制御メッセージを送信する（ステップ１１３５）。
【０１９４】
受信機１１０４からＮＡＣＫ制御メッセージを受信された送信機１１００は、中継局１１０２が受信機１１０４に送信したデータのエラー発生有無を確認する（ステップ１１２７）。
【０１９５】
以後、送信機１１００は、中継局１１０２が受信機１１０４に送信したデータのエラー発生有無の情報と再送信指示メッセージを中継局１１０２に送信する（ステップ１１３７）。例えば、送信機１１００は、図３に示すように、再送信を要請するデータに対する情報と再送信指示メッセージとを中継局１１０２に送信する。他の実施形態として、送信機１１００は、図４に示すように、エラーのないデータ及び再送信を要請するデータに対する情報を中継局１１０２に送信する。
【０１９６】
中継局１１０２は、送信機１１００から提供された再送信指示メッセージを介して受信機１１０４に送信したデータのうち、エラーの発生したデータを確認する。以後、中継局１１０２は、エラーの発生したデータを受信機１１０４に再送信する（ステップ１１３９〜１１４３）。ここで、中継局１１０２は、再送信データと共にデータキューに格納された新しいデータを受信機１１０４に送信できる。
【０１９７】
また、中継局１１０２は、送信機１１００からエラーのないデータに対する情報を受信すると、エラーのないデータをデータキューから廃棄する。すなわち、図４に示すように、送信機１１００からエラーのないデータに対する情報を受信する場合、中継局１１０２は、エラーのないデータをデータキューから廃棄する。万一、図３に示すように、エラーのないデータに対する情報を受信しないと、中継局は、データに対するタイマーが消滅する時にデータキューからデータを廃棄する。
【０１９８】
受信機１１０４は、中継局１１０２から再送信データを受信すると、データを復号してエラーを検査する（ステップ１１４５）。万一、データにエラーがなければ、受信機１１０４は、送信機１１００にＡＣＫ制御メッセージを送信する（ステップ１１４７）。
【０１９９】
送信機１１００は、受信機１１０４からＡＣＫ制御メッセージを受信すると、データの送信及び再送信動作並びにタイマーの動作を終了し、中継局１１０２と受信機１１０４とに送信したデータをデータキューから廃棄する（ステップ１１４９）。
【０２００】
図１７は、本発明の第２実施の形態による中継方式を使用する無線通信システムにおける再送信手順を示している。以下の説明は、図５に対した中継局を利用した再送信を行うための無線通信手順を示している。
【０２０１】
図１７に示すように、送信機１２００は、データキューに格納されたデータ（ステップ１２１１）のうち、１回に送信できるデータを中継局１２０２に送信する（ステップ１２１３）。このとき、送信機１２００は、送信したデータの有効時間を確認するためにタイマーを駆動させる。
【０２０２】
中継局１２０２は、待機状態で送信機１２００からデータを受信すると、受信データを復号してエラーチェックコードを介してデータのエラーを検査する（ステップ１２１５）。万一、データにエラーが発生した場合、中継局１２０２は、送信機１２００にＮＡＣＫ制御メッセージを送信する（ステップ１２１７）。図示していないが、データにエラーが発生しなければ、中継局１２０２は、送信機１２００にＡＣＫ制御メッセージを送信する。
【０２０３】
送信機１２００は、中継局１２０２からＮＡＣＫ制御メッセージを受信すると（ステップ１２１９）、ＮＡＣＫ制御メッセージに応じるデータを中継局１２０２に再送信する（ステップ１２２１）。このとき、送信機１２００は、再送信データと共にデータキューに格納された新しいデータを中継局１２０２に送信できる。
【０２０４】
中継局１２０２は、送信機１２００から再送信データを受信すると、データを復号してエラーチェックコードを介してデータのエラーを検査する（ステップ１２２３）。万一、データにエラーがなければ、中継局１２０２は、送信機１２００にＡＣＫ制御メッセージを送信し（ステップ１２２５）、エラーのないデータを中継局１２０２のデータキューに格納する。図示していないが、データにエラーが発生した場合、中継局１２０２は、送信機１２００にＮＡＣＫ制御メッセージを送信する。
【０２０５】
このとき、送信機１２００は、中継局１２０２からＡＣＫ制御メッセージ受信すると、受信機１２０４からＡＣＫ／ＮＡＣＫ制御メッセージの受信を待つ（ステップ１２２７）。
【０２０６】
中継局１２０２の送信部は、データキューに格納されたデータ（ステップ１２２９）を受信機１２０４に送信する（ステップ１２３１）。このとき、中継局１２０２は、送信したデータの有効時間を確認するためにタイマーを駆動させる。
【０２０７】
受信機１２０４は、中継局１２０２からデータを受信すると、データを復号してエラーを検査する（ステップ１２３３）。
【０２０８】
データにエラーが発生した場合、受信機１２０４は、送信機１２００にＮＡＣＫ制御メッセージを送信する（ステップ１２３５）。このとき、中継局１２０２は、受信機１２０４が送信機１２００に送信するＡＣＫ／ＮＡＣＫ制御メッセージを受信して、受信機１２０４に送信したデータのエラー発生有無を認知する。
【０２０９】
受信機１２０４からＮＡＣＫ制御メッセージを受信した送信機１２００は、中継局１２０２が受信機１１０４に送信したデータのエラー発生有無を確認する（ステップ１２２７）。
【０２１０】
以後、中継局１２０２は、送信機１２００からスケジューリング情報を受信すると、受信機１２０４の送信したデータのうち、エラーの発生したデータを受信機１２０４に送信する（ステップ１２３７〜１２３９）。このとき、中継局１２０２は、再送信データと共にデータキューに格納された新しいデータを受信機１２０４に送信できる。
【０２１１】
受信機１２０４は、中継局１２０２の送信したデータを受信すると、データを復号してエラーを検査する（ステップ１２４１）。万一、データにエラーがなければ、受信機１２０４は、送信機１２００にＡＣＫ制御メッセージを送信する（ステップ１２４３）。このとき、中継局１２０２は、受信機１２０４が送信機１２００に送信するＡＣＫ制御メッセージを聴取して、データの送信及び再送信動作並びにタイマー動作を終了する。また、中継局１２０２は、受信機１２０４に送信が完了したデータをデータキューから廃棄する（ステップ１２４５）。
【０２１２】
送信機１２００は、受信機１２０４からＡＣＫ制御メッセージを受信すると、データの送信及び再送信動作並びにタイマーの動作も終了する。また、送信機１２００は、中継局１２０２を介して受信機１２０４に送信が完了したデータをデータキューから廃棄する（ステップ１２４７）。
【０２１３】
図１８は、本発明の第１の実施形態による再送信を行うための中継局の動作手順を示している。
【０２１４】
図１８に示すように、まず中継局は、ステップ１３０１にて送信機からデータを受信すると、データの復号（Ｄｅ−ｃｏｄｉｎｇ）を行う。
【０２１５】
データを復号した後、中継局は、ステップ１３０３に進んで復号されたデータのエラーチェックコードを介してエラー発生の有無を検査する。
【０２１６】
万一、データにエラーが発生した場合、中継局は、ステップ１３０７に進んでエラーの発生したデータに対するＮＡＣＫ制御メッセージを基地局に送信する。以後、中継局は、ステップ１３０１に戻って送信機からＮＡＣＫ制御メッセージに対する再送信データを受信する。例えば、ダウンリンクの場合、基地局は、中継局から提供されたＮＡＣＫ制御メッセージに該当するデータを中継局に再送信する。他の実施形態として、アップリンクの場合、基地局は、中継局から提供されたＮＡＣＫ制御メッセージを端末に中継する。以後、端末は、基地局から提供された中継局のＮＡＣＫ制御メッセージに対するデータを中継局に再送信する。
【０２１７】
一方、データにエラーがなければ、中継局は、ステップ１３０５に進んでエラーのないデータに対するＡＣＫ制御メッセージを基地局に送信する。
【０２１８】
ＡＣＫ制御メッセージを送信した後、中継局は、ステップ１３０９に進んでエラーのないデータをデータキューに格納する。
【０２１９】
以後、中継局は、ステップ１３１１に進んでデータキューに格納されたデータを受信機に送信する。
【０２２０】
データを送信した後、中継局は、ステップ１３１３に進んで送信機からＡＣＫ指示メッセージが受信されているか否かを確認する。
【０２２１】
万一、基地局からＡＣＫ指示メッセージを受信すると、中継局は、ステップ１３１５に進んでＡＣＫ指示メッセージに該当するデータの受信機への送信が完了したと判断する。したがって、中継局は、データの送信及び再送信動作を終了する。また、中継局は、受信機に送信が完了したデータをデータキューから廃棄する。
【０２２２】
以後、中継局は、本アルゴリズムを終了する。
【０２２３】
一方、基地局からＮＡＣＫ指示メッセージを受信すると、中継局は、ステップ１３１７に進んでＮＡＣＫ指示メッセージに該当するデータにエラーが発生したと判断し、データの有効時間が満了したか否かを確認する。
【０２２４】
万一、データの有効時間が満了してなかったら、中継局は、ステップ１３１１に進んでＮＡＣＫ指示メッセージに該当するデータを受信機に再送信する。このとき、中継局は、再送信データと共にデータキューに格納された新しいデータを受信機に送信できる。
【０２２５】
一方、データの有効時間が満了した場合、中継局は、ステップ１３１９に進んでＮＡＣＫ指示メッセージに該当するデータをデータキューから廃棄する。
【０２２６】
以後、中継局は、本アルゴリズムを終了する。
【０２２７】
図１９は、本発明の第２の実施形態による再送信を行うための中継局の動作手順を示している。
【０２２８】
図１９に示すように、まず中継局は、ステップ１４０１において送信機からデータを受信すると、データの復号（Ｄｅ−ｃｏｄｉｎｇ）を行う。
【０２２９】
データを復号した後、中継局は、ステップ１４０３に進んで復号されたデータのエラーチェックコードを介してデータのエラー発生有無を検査する。
【０２３０】
万一、データにエラーが発生した場合、中継局は、ステップ１４０７に進んでエラーの発生したデータに対するＮＡＣＫ制御メッセージを基地局に送信する。ここで、中継局が送信するＮＡＣＫ制御メッセージをＲ−ＮＡＣＫ制御メッセージと称することもある。
【０２３１】
以後、中継局は、ステップ１４０１に戻って送信機からＮＡＣＫ制御メッセージに対する再送信データを受信する。例えば、ダウンリンクの場合、基地局は、中継局から提供されたＮＡＣＫ制御メッセージに該当するデータを中継局に再送信する。他の実施形態として、アップリンクの場合、基地局は、中継局から提供されたＮＡＣＫ制御メッセージを端末に中継する。以後、端末は、基地局から提供された中継局のＮＡＣＫ制御メッセージに対するデータを中継局に再送信する。
【０２３２】
一方、データにエラーがなければ、中継局は、ステップ１４０５に進んで送信機にＡＣＫ制御メッセージを送信した後、中継局は、ステップ１４０９に進んでエラーのないデータをデータキューに格納する。ここで、中継局が送信するＡＣＫ制御メッセージをＲ−ＡＣＫ制御メッセージと称することもある。
【０２３３】
以後、中継局は、ステップ１４１１に進んでデータキューに格納されたデータを受信機に送信する。
【０２３４】
データを受信機に送信した後、中継局は、ステップ１４１３に進んで受信機から送信したデータに対するＡＣＫ制御メッセージを受信するかを確認して、データに対するエラー発生情報を確認する。例えば、ダウンリンクの場合、中継局は、端末が基地局に送信するＡＣＫ／ＮＡＣＫ制御メッセージを聴取して、端末に送信したデータに対するエラー発生情報を確認する。
【０２３５】
他の実施形態として、アップリンクの場合、中継局は、基地局からＡＣＫ／ＮＡＣＫ制御メッセージを受信して、基地局に送信したデータに対するエラー発生情報を確認する。
【０２３６】
万一、受信機からＡＣＫ制御メッセージを受信すると、中継局は、ステップ１４１５に進んでＡＣＫ制御メッセージに該当するデータが受信機に送信完了したと判断する。したがって、中継局は、受信機に送信完了したデータの送信及び再送信動作を終了する。また、中継局は、受信機に送信完了したデータをデータキューから廃棄する。
【０２３７】
以後、中継局は、本アルゴリズムを終了する。
【０２３８】
一方、受信機からＮＡＣＫ制御メッセージを受信すると、中継局は、ステップ１４１７に進んでＮＡＣＫ制御メッセージに該当するデータにエラーが発生したと判断し、データの有効時間が満了したか否かを確認する。
【０２３９】
万一、データの有効時間が満了していない場合、中継局は、ステップ１４１１に進んでＮＡＣＫ制御メッセージに該当するデータを受信機に再送信する。このとき、中継局は、再送信データと共にデータキューに格納された新しいデータを受信機に送信できる。
【０２４０】
一方、データの有効時間が満了した場合、中継局は、ステップ１４１９に進んでＮＡＣＫ制御メッセージに該当するデータをデータキューから廃棄する。
【０２４１】
以後、中継局は、本アルゴリズムを終了する。
【０２４２】
以下では、再送信を行うための中継局のブロック構成について説明する。ここで、下記の図２０は、無線通信システムにおいてＭＡＣ階層のＡＲＱを行うための中継局のブロック構成を示し、下記の図２１は、無線通信システムにおいて物理階層のＨＡＲＱを行うための中継局のブロック構成を示す。
【０２４３】
図２０は、本発明による再送信を行うための中継局のブロック構成を示している。
【０２４４】
図２０に示すように、中継局は、アンテナ部１５０１、受信部１５０３、送信部１５０５及びＡＲＱ部１５０７を含んで構成される。
【０２４５】
アンテナ部１５０１は、受信部１５０３と送信部１５０５とが一つのアンテナを共有できるように制御する。このとき、受信部１５０３と送信部１５０５とは、それぞれ２つ以上存在できる。
【０２４６】
受信部１５０３は、ＲＦ受信部１５１１、物理階層復号部１５１３、ＭＡＣ  ＰＤＵ復号部１５１５及びＭＡＣペイロード復号部１５１７を備えて構成される。
【０２４７】
ＲＦ受信部１５１１は、アンテナ部１５０１を介して送信機から受信された高周波信号を周波数ダウン変調して、ベースバンド信号に変換する。
【０２４８】
物理階層復号部１５１３は、ＲＦ受信部１５１１から提供されたベースバンド信号から物理階層データを解析する。
【０２４９】
ＭＡＣ  ＰＤＵ復号部１５１５は、物理階層復号部１５１３から提供されたデータのヘッダを分析し、データのエラー発生有無を検査する。例えば、ＭＡＣ  ＰＤＵ復号部１５１５は、ＭＡＣヘッダ検出部１５２１、ＭＡＣ  ＣＲＣ検査器１５２３及びＭＡＣペイロード検出器１５２５を備えて構成される。このとき、ＭＡＣヘッダ検出部１５２１は、物理階層復号部１５１３から提供されたＭＡＣ  ＰＤＵのヘッダを分析して、ＭＡＣ  ＰＤＵのペイロードが制御情報を含んでいるか、トラフィックを含んでいるかを判断する。
【０２５０】
ＭＡＣ  ＣＲＣ検出部１５２３は、ＭＡＣ  ＰＤＵのエラーチェックコード（例：ＣＲＣ（Ｃｙｃｌｉｃ  Ｒｅｄｕｎｄａｎｃｙ  Ｃｈｅｃｋ））を介して、各々のＭＡＣ  ＰＤＵのペイロードに対するエラー発生有無を検査する。このとき、ＭＡＣ  ＣＲＣ検出部１５２３は、ＭＡＣ  ＰＤＵのペイロードに対するエラー発生有無の情報をＡＲＱ部１５０５に報告する。
【０２５１】
ＭＡＣペイロード検出部１５２５は、ＭＡＣ  ＰＤＵからペイロードを検出する。このとき、ＭＡＣペイロード検出部１５２５は、ＭＡＣ  ＣＲＣ検出部１５２３からＭＡＣ  ＰＤＵからエラーのないペイロードのみを検出する。
【０２５２】
このとき、ＭＡＣ  ＰＤＵ復号部１５１５は、エラーのないペイロードに制御情報が含まれれば、ペイロードをＭＡＣペイロード復号部１５１７のＭＡＣ制御メッセージ復号部１５３１に送信する。
【０２５３】
万一、ＭＡＣ  ＰＤＵ復号部１５１５は、エラーのないペイロードに制御情報が含まれれば、ペイロードをＭＡＣペイロード復号部１５１７の受信データキュー１５３３に送信する。
【０２５４】
ＭＡＣペイロード復号部１５１７は、ＭＡＣ制御メッセージ復号部１５３１と受信データキュー１５３３とを備えて構成される。
【０２５５】
ＭＡＣ制御メッセージ復号部１５３１は、ＭＡＣ  ＰＤＵ復号部１５１５から提供されたエラーのないＭＡＣ  ＰＤＵのペイロードに含まれた制御メッセージを解析する。ここで、ＭＡＣ制御メッセージ復号部１５３１は、解析された制御メッセージのうち、ＡＣＫ又はＮＡＣＫのようにＡＲＱと関連した制御メッセージを、ＡＲＱ部１５０７に報告する。
【０２５６】
受信データキュー１５３３は、ＭＡＣ  ＰＤＵ復号部１５１５から提供されたエラーのないＭＡＣ  ＰＤＵのペイロードに含まれたトラフィックを格納する。このとき、受信データキュー１５３３に格納されるデータは、ＡＲＱ部１５０７の制御によって送信データキュー１５７１に複写されて格納される。ここでは、受信データキュー１５３３と送信データキュー１５７１とを分離して示したが、一つの装置を共有して使用することもできる。
【０２５７】
送信部１５０５は、ＲＦ送信部１５５１、物理階層符号部１５５３、ＭＡＣ  ＰＤＵ符号部１５５５及びＭＡＣペイロード符号部１５５７を備えて構成される。
【０２５８】
ＭＡＣペイロード符号部１５５７は、送信データキュー１５７１に格納されたデータでＭＡＣペイロードを生成して、ＭＡＣ  ＰＤＵ符号部１５５５に出力する。ここで、ＭＡＣペイロード符号部１５５７は、ＡＲＱ部１５０７の制御によって、ＡＣＫ／ＮＡＣＫのようなＭＡＣ制御メッセージも生成して出力する。
【０２５９】
ＭＡＣ  ＰＤＵ符号部１５５５は、ＡＲＱ部１５０７から提供された送信機から受信されたデータのＡＣＫタイプやＢＳＮ情報を利用して、ＭＡＣペイロード符号部１５５７から提供されたＭＡＣペイロードを送信機から受信したデータと同じ形態のＭＡＣ  ＰＤＵに生成する。すなわち、送信部１５０５は、送信機と同じ形態のＭＡＣ  ＰＤＵを受信機に送信する。
【０２６０】
物理階層符号部１５５３は、ＭＡＣ  ＰＤＵ符号部１５５５から提供されたＭＡＣ  ＰＤＵを物理階層データに加工する。
【０２６１】
ＲＦ送信部１５５１は、物理階層符号部１５５３から提供されたベースバンドの物理階層データを高周波信号に周波数アップ変調させて出力する。
【０２６２】
ＡＲＱ部１５０７は、ＡＲＱ状態マシン１５４１、ＡＲＱタイマー１５４３及びＡＲＱ制御部１５４５を備えて構成される。
【０２６３】
ＡＲＱ状態マシン１５４１は、再送信されたデータに対するＡＲＱ状態を管理する。ＡＲＱタイマー１５４３は、送信されるデータの各々に対する有効時間（ｌｉｆｅ  ｔｉｍｅ）タイマーを管理する。
【０２６４】
ＡＲＱ制御機１５４５は、ＡＲＱ状態マシン１５４１とＡＲＱタイマー１５４３と連動して、ＡＲＱに全般的な動作を制御する。例えば、ＡＲＱ制御機１５４５は、受信機に送信されたＭＡＣ  ＰＤＵに対する応答メッセージを受信する時に、これを分析してＮＡＣＫに該当するデータは再送信するように制御する。一方、ＡＲＱ制御機１５４５は、ＡＣＫに該当するデータは、送信データキュー１５７１から廃棄（ｄｉｓｃａｒｄ）するよう制御する。
【０２６５】
また、ＡＲＱ制御機１５４５は、中継局のデータ再送信を制御する。すなわち、受信されたデータに対するＡＣＫ／ＮＡＣＫメッセージを送信機に送信するように、送信部１５０３を制御する。また、ＡＲＱ制御機１５４５は、送信機からＡＣＫ／ＮＡＣＫ指示メッセージ（ＡＣＫ／ＮＡＣＫ  ｉｎｄｉｃａｔｉｏｎ）を受信すると、再送信指示メッセージに該当するＭＡＣデータをバッファから読み出して再送信し、ＡＣＫに該当するＭＡＣデータをバッファから廃棄するように制御する。
【０２６６】
図２１は、本発明の他の実施形態による再送信を行うための中継局のブロック構成を示している。以下の説明で送信部１７００と受信部１７２０とは、互いに異なるアンテナを使用すると仮定して説明するが、送信部１７００と受信部１７２０とは、一つのアンテナを使用することもできる。
【０２６７】
図２１に示すように、中継局は、送信部１７００、受信部１７２０及びＡＲＱ制御部１７４０、ＡＲＱ状態部１７５０、ＡＲＱタイマー１７６０、チャネル推定器１７７０を備えて構成される。
【０２６８】
まず、送信部１７００は、データ生成部１７０１、チャネル符号器１７０３、ＣＲＣ生成器１７０５、変調器１７０７、ＩＦＦＴ（Ｉｎｖｅｒｓｅ  Ｆａｓｔ  Ｆｏｕｒｉｅｒ  Ｔｒａｎｓｆｏｒｍ）演算器１７０９及びＲＦ処理器１７１１を備えて構成される。
【０２６９】
データ生成部１７０１は、データキュー１７１３に格納されたデータとメッセージ生成器１７１７から生成した制御メッセージとをＳＤＵ（Ｓｅｒｖｉｃｅ  Ｄａｔａ  Ｕｎｉｔ）生成器１７１５で集めて物理階層の送信のための一つのデータを生成する。ここで、メッセージ生成器１７１７は、受信部１７２０を介して送信機から受信されたデータにエラーがなければ、ＡＣＫ制御メッセージを生成する。これに対し、メッセージ生成器１７１７は、データにエラーが発生した場合、ＮＡＣＫメッセージを生成する。
【０２７０】
チャネル符号器１７０３は、データ生成部１７０１から提供されたデータを該当変調水準（例：ＭＣＳ（Ｍｏｄｕｌａｔｉｏｎ  ａｎｄ  Ｃｏｄｉｎｇ  Ｓｃｈｅｍｅ）レベル）に応じて符号化する。ＣＲＣ生成器１７０５は、エラー検出コードを生成してチャネル符号器１７０３から提供されたデータに追加して出力する。
【０２７１】
変調器１７０７は、ＣＲＣ生成器１７０５から提供されたデータを該当変調水準（例：ＭＣＳレベル）に応じて変調して出力する。
【０２７２】
ＩＦＦＴ演算器１７０９は、変調器１７０７から提供された周波数領域データを逆高速フーリエ変換して時間領域信号に変換する。
【０２７３】
ＲＦ処理器１７１１は、ＩＦＦＴ演算器１７０９から提供されたベースバンド信号を高周波（Ｒａｄｉｏ  Ｆｒｅｑｕｅｎｃｙ）信号に周波数アップ変調して、アンテナを介して送信機又は受信機に出力する。例えば、ＲＦ処理器１７１１は、送信機から受信されたデータに対するＡＣＫ／ＮＡＣＫ制御メッセージを基地局に送信する。また、ＲＦ処理器１７１１は、送信機から提供されたデータを受信機に送信する。
【０２７４】
次に、受信部１７２０は、ＲＦ処理器１７２１、ＦＦＴ（Ｆａｓｔ  Ｆｏｕｒｉｅｒ  Ｔｒａｎｓｆｏｒｍ）演算器１７２３、復調器１７２５、ＣＲＣ除去器１７２７、チャネル復号器１７２９及びデータ処理部１７３１を備えて構成される。
【０２７５】
ＲＦ処理器１７２１は、アンテナを介して送信機から提供される高周波信号をベースバンド信号に周波数ダウン変調して出力する。
【０２７６】
ＦＦＴ演算器１７２３は、ＲＦ処理器１７２１から提供された時間領域信号を高速フーリエ変換して周波数領域信号に変換する。
【０２７７】
復調器１７２５は、ＦＦＴ演算器１７２３から提供された信号を該当変調水準に応じて復調して出力する。このとき、復調器１７２５は、復調された信号をＣＲＣ除去器１７２７とチャネル推定器１７７０とに出力する。
【０２７８】
ＣＲＣ除去器１７２７は、復調器１７２５から提供された信号のエラー検出コードを確認して、信号のエラー発生有無を判断する。このとき、ＣＲＣ除去器１７２７は、復調器１７２５から提供された信号からエラー検出コードを除去する。
【０２７９】
チャネル復号器１７２９は、ＣＲＣ除去器１７２７から提供されたエラーのない信号を該当変調水準に応じて復号して出力する。
【０２８０】
データ処理部１７３１のＳＤＵ処理器１７３５は、チャネル復号器１７２９から提供された物理階層信号からデータと制御メッセージとを分離する。以後、ＳＤＵ処理器１７３５は、データを第２データキュー１７３７に提供して格納する。また、ＳＤＵ処理器１７３５は、制御メッセージは、メッセージ処理器１７３３に提供して復号して確認する。ここで、第１データキュー１７１３と第２データキュー１７２７とは、分離されたことで示したが、第１データキュー１７１３と第２データキュー１７２７とは、一つのデータキューに構成することもできる。
【０２８１】
メッセージ処理器１７３３は、基地局から受信されるＡＣＫ／ＮＡＣＫ指示メッセージを復号して、ＡＲＱ制御機１７４０に知らせる。すなわち、メッセージ処理器１７３３は、基地局から再送信を要請するデータに対する情報をＡＲＱ制御機１７４０に知らせる。
【０２８２】
また、メッセージ処理器１７３３は、受信機から送信機に送信するＡＣＫ／ＮＡＣＫ制御メッセージを聴取して、ＡＲＱ制御機１７４０に受信機に送信したデータに対するＡＣＫ／ＮＡＣＫ情報を提供する。
【０２８３】
ＡＲＱ状態部１７５０は、再送信されたデータに対するＡＲＱ状態を管理する。ＡＲＱタイマー１７６０は、中継局の再送信のための有効時間（ｌｉｆｅ  ｔｉｍｅ）を管理する。
【０２８４】
ＡＲＱ制御機１７４０は、ＡＲＱ状態部１７５０とＡＲＱタイマー１７６０とを連動して、中継局のＡＲＱの全般的な動作を制御する。例えば、ＡＲＱ制御機１７４０は、メッセージ処理器１７３３からＡＣＫ／ＮＡＣＫ指示メッセージ情報を受信すると、ＡＣＫ／ＮＡＣＫ指示メッセージ情報に応じてＡＣＫ指示メッセージに対するデータを第１データキュー１７１３から廃棄するように制御する。また、ＡＲＱ制御機１７４０は、ＮＡＣＫ指示メッセージに対するデータを受信機に再送信するように、データ生成部１７０１、チャネル符号器１７０３及びＣＲＣ生成器１７０５を制御する。
【０２８５】
他の実施形態として、ＡＲＱ制御機１７４０は、メッセージ処理器１７３３から聴取したＡＣＫ／ＮＡＣＫ制御メッセージ情報を受信すると、基地局からスケジューリング情報に応じてＮＡＣＫ制御メッセージに対するデータを受信機に再送信するように、データ生成部１７０１、チャネル符号器１７０３及びＣＲＣ生成器１７０５を制御する。
【０２８６】
また、ＡＲＱ制御機１７４０は、再送信手順を行う途中、ＡＲＱタイマー１７６０から有効時間終了メッセージを提供されると、該当データに対する再送信手順を終了する。
【０２８７】
上述した実施形態は、一つの中継局を利用して中継サービスを提供する無線通信システムを例に挙げて説明したが、多重ホップ中継方式の無線通信システムも同様に動作できる。
【０２８８】
上述したように、ＭＡＣ階層と物理階層とを有する中継局を備える無線通信システムにおいてＡＲＱを行うことで、中継局は、エラーのないデータに対してのみ受信機に中継するため、受信機が受信するデータに対して信頼度を向上させることができ、ＡＲＱの制御を基地局で行うため、中継局の負荷を減らすことができるという利点がある。
【０２８９】
一方、本発明の詳細な説明では具体的な実施形態について説明したが、本発明の範囲から逸脱しない範囲内で多様な変形が可能であることは勿論である。したがって、本発明の範囲は、上述の実施の形態に限って決まらず、特許請求の範囲だけでなく、特許請求の範囲と均等なものによって決まらねばならない。
【図面の簡単な説明】
【０２９０】
【図１】図１は、従来の技術によるアナログ中継局を利用する無線通信システムにおいて自動再送信要請の遂行による信号交換手順を示す図である。
【図２】図２は、本発明の実施形態による中継方式を使用する無線通信システムの構成を示す図である。
【図３】図３は、本発明の第１の実施形態による中継方式を使用する無線通信システムにおいてダウンリンク信号を再送信するためのシステムを示す図である。
【図４】図４は、本発明の第２の実施形態による中継方式を使用する無線通信システムにおいてダウンリンク信号を再送信するためのシステムを示す図である。
【図５】図５は、本発明の第３の実施形態による中継方式を使用する無線通信システムにおいてダウンリンク信号を再送信するためのシステムを示す図である。
【図６】図６は、本発明の第１の実施形態による中継方式を使用する無線通信システムにおいてアップリンク信号を再送信するためのシステムを示す図である。
【図７】図７は、本発明の第２の実施形態による中継方式を使用する無線通信システムにおいてアップリンク信号を再送信するためのシステムを示す図である。
【図８】図８は、本発明の第３の実施形態による中継方式を使用する無線通信システムにおいてアップリンク信号を再送信するためのシステムを示す図である。
【図９】図９は、本発明の実施形態による送信機の状態遷移度を示す図である。
【図１０】図１０は、本発明の実施形態による送信機の状態遷移度を示す図である。
【図１１】図１１は、本発明の実施形態による送信機の状態遷移度を示す図である。
【図１２】図１２は、本発明の実施形態による受信機の状態遷移度を示す図である。
【図１３】図１３は、本発明の実施形態による中継局の状態遷移度を示す図である。
【図１４】図１４は、本発明の実施形態による中継局の状態遷移度を示す図である。
【図１５】図１５は、本発明の実施形態による中継局の状態遷移度を示す図である。
【図１６】図１６は、本発明の第１の実施形態による中継方式を使用する無線通信システムにおいて再送信手順を示す図である。
【図１７】図１７は、本発明の第２の実施形態による中継方式を使用する無線通信システムにおいて再送信手順を示す図である。
【図１８】図１８は、本発明の第１の実施形態による再送信を行うための中継局の動作手順を示す図である。
【図１９】図１９は、本発明の第２の実施形態による再送信を行うための中継局の動作手順を示す図である。
【図２０】図２０は、本発明の第１の実施形態による再送信を行うための中継局のブロック構成を示す図である。
【図２１】図２１は、本発明の第２の実施形態による再送信を行うための中継局のブロック構成を示す図である。
【図１】
2009539299.tif 000006
【図２】
2009539299.tif 000007
【図３】
2009539299.tif 000008
【図４】
2009539299.tif 000009
【図５】
2009539299.tif 000010
【図６】
2009539299.tif 000011
【図７】
2009539299.tif 000012
【図８】
2009539299.tif 000013
【図９】
2009539299.tif 000014
【図１０】
2009539299.tif 000015
【図１１】
2009539299.tif 000016
【図１２】
2009539299.tif 000017
【図１３】
2009539299.tif 000018
【図１４】
2009539299.tif 000019
【図１５】
2009539299.tif 000020
【図１６】
2009539299.tif 000021
【図１７】
2009539299.tif 000022
【図１８】
2009539299.tif 000023
【図１９】
2009539299.tif 000024
【図２０】
2009539299.tif 000025
【図２１】
2009539299.tif 000026
【国際調査報告】
2009539299.tif 000027
2009539299.tif 000028